(57)【特許請求の範囲】
【請求項１】
Ｘ線を発生するＸ線発生器と、
該Ｘ線発生器から発生した前記Ｘ線の照射範囲を規制してＸ線コーンビームを形成するＸ線規制部と、
被写体に照射された前記Ｘ線コーンビームを検出するＸ線検出器と、
前記Ｘ線発生器と前記Ｘ線検出器とを前記被写体を挟んで対向させた状態で支持する支持体と、
少なくとも前記支持体を旋回軸の軸周りに旋回駆動し、前記Ｘ線発生器と前記Ｘ線検出器とを前記被写体の周りに旋回させる支持体駆動部と、
ＣＴ撮影領域が、歯列弓領域に沿った長手方向を有する略長円形状または前記歯列弓領域の形状に適合する略三角形状となるように、前記ＣＴ撮影領域に応じて、前記旋回軸の軸方向に直交する横方向の前記Ｘ線規制部の規制を撮影中に可変制御するＸ線規制制御部とを備えた
Ｘ線ＣＴ撮影装置。
【請求項２】
歯列弓領域の画像である歯列弓画像を表示する表示手段と、
前記歯列弓領域に対してＣＴ撮影領域の設定操作を受け付けるＣＴ撮影領域設定手段とを備え、
前記表示手段に表示する前記歯列弓画像に、前記設定ＣＴ撮影領域を示す設定領域画像を重畳表示する
請求項１に記載のＸ線ＣＴ撮影装置。
【請求項３】
前記ＣＴ撮影領域設定手段を、
前記表示手段に表示した前記歯列弓画像に示す湾曲した前記歯列弓領域の曲線上において、関心領域の一端と他端の位置を指定する指定操作を受け付ける構成とした
請求項２に記載のＸ線ＣＴ撮影装置。
【請求項４】
前記表示手段に表示する前記歯列弓画像を複数の分割エリアに分けて表示し、
前記ＣＴ撮影領域設定手段を、
前記分割エリアのいずれかを選択する指定操作を受け付ける構成とした
請求項２に記載のＸ線ＣＴ撮影装置。
【請求項５】
前記歯列弓画像を、
前記被写体について撮影済みのパノラマ画像とした
請求項１乃至４のうちいずれかに記載のＸ線ＣＴ撮影装置。
【請求項６】
前記旋回軸の軸方向を縦方向とし、
前記Ｘ線規制部を、
前記ＣＴ撮影領域に対して前記Ｘ線コーンビームの照射範囲を前記縦方向と前記横方向の少なくともいずれかに遮蔽量を可変に遮蔽して規制するＸ線遮蔽手段で構成した
請求項１乃至５のうちいずれかに記載のＸ線ＣＴ撮影装置。
【請求項７】
前記Ｘ線遮蔽手段を、
それぞれ前記横方向に移動して、前記Ｘ線コーンビームの前記横方向の広がりを規制する２枚のＸ線遮蔽板からなる横方向規制遮蔽板で構成した
請求項６に記載のＸ線ＣＴ撮影装置。
【請求項８】
前記Ｘ線遮蔽手段に、
それぞれ前記縦方向に移動して、前記Ｘ線コーンビームの前記縦方向の広がりを規制する２枚のＸ線遮蔽板からなる縦方向規制遮蔽板を備えた
請求項６又は７に記載のＸ線ＣＴ撮影装置。
【請求項９】
前記Ｘ線発生器に対する前記縦方向規制遮蔽板の前記縦方向の位置を調整して、前記Ｘ線コーンビームの前記縦方向における照射方向を制御する縦方向照射位置調整手段を備えた
請求項８に記載のＸ線ＣＴ撮影装置。
【請求項１０】
前記旋回軸の軸方向を鉛直方向とするとともに、前記鉛直方向に直交する方向を水平方向とし、
前記旋回軸を吊下げ保持する支持体保持手段と、
前記支持体保持手段に対して、前記水平方向における二次元方向に前記旋回軸を相対移動させる二次元移動機構からなる前記支持体駆動部とを備えた
請求項１乃至９のうちいずれかに記載のＸ線ＣＴ撮影装置。
【請求項１１】
前記旋回軸の軸方向を鉛直方向とするとともに、前記鉛直方向に直交する方向を水平方向とし、
前記被写体を保持する被写体保持手段と、
前記旋回軸に対して、前記水平方向における二次元方向に前記被写体保持手段を相対移動させる二次元移動機構からなる前記支持体駆動部とを備えた
請求項１乃至９のうちいずれかに記載のＸ線ＣＴ撮影装置。
【請求項１２】
前記Ｘ線遮蔽手段の規制により形成した前記鉛直方向に延伸する細隙状のＸ線細隙ビームの軌跡が、パノラマＸ線撮影における包絡線を形成するように前記支持体駆動部を駆動制御する駆動制御部を備えた
請求項１０又は１１に記載のＸ線ＣＴ撮影装置。
【請求項１３】
前記Ｘ線規制制御部を、
前記旋回軸の軸方向から見た前記ＣＴ撮影領域が、長手方向が前記歯列弓領域の長手方向に沿った略オーバル形状となるように前記Ｘ線規制部を制御する構成とした
請求項１乃至１２のうちいずれかに記載のＸ線ＣＴ撮影装置。
【請求項１４】
前記Ｘ線規制制御部を、
前記旋回軸の軸方向から見た前記ＣＴ撮影領域が、前歯近傍に頂部が位置し、前記歯列弓領域の外周を結ぶ略長円形状または略三角形状となるように前記Ｘ線規制部を制御する構成とした
請求項１乃至１２のうちいずれかに記載のＸ線ＣＴ撮影装置。
【請求項１５】
前記Ｘ線規制制御部を、
前記旋回軸の軸方向から見た前記ＣＴ撮影領域が、前記略長円形状及び前記略三角形状の少なくとも一方に加えて、真円形状となるように前記Ｘ線規制部を制御する構成とした
請求項１乃至１４のうちいずれかに記載のＸ線ＣＴ撮影装置。
【請求項１６】
ＣＴ撮影領域が前記歯列弓領域に沿った長手方向を有する略長円形状または前記歯列弓領域の形状に適合する略三角形状となるように、被写体を挟んで対向させたＸ線発生器及びＸ線検出器を支持する支持体を前記被写体の周りに旋回するとともに、前記ＣＴ撮影領域に応じて、前記支持体が旋回する旋回軸の軸方向に直交する横方向のＸ線規制部による規制を撮影中に可変制御するＸ線規制ステップを有する
Ｘ線ＣＴ撮影方法。
【請求項１７】
表示手段に歯列弓領域の画像である歯列弓画像を表示する画像表示ステップと、
前記歯列弓領域に対するＣＴ撮影領域の設定操作を受け付ける設定操作受付ステップと、
前記設定操作受付ステップ後に、前記表示手段に表示する前記歯列弓画像に、前記設定ＣＴ撮影領域を示す設定領域画像を重畳表示する重畳表示ステップを有する
請求項１６に記載のＸ線ＣＴ撮影方法。
【発明の詳細な説明】
【技術分野】
【０００１】
本発明は、例えば、Ｘ線発生器とＸ線検出器との間に被写体を配置し、Ｘ線発生器から照射したＸ線をＸ線検出器で検出してＸ線ＣＴ撮影を行うＸ線ＣＴ撮影装置、及びＸ線ＣＴ撮影方法に関する。
【背景技術】
【０００２】
従来、医療分野等において、Ｘ線を用いて被写体に対してＸ線を照射して投影データを収集し、得られた投影データをコンピュータ上で再構成して、Computerized Tomography画像（ＣＴ画像断層面画像、ボリュームレンダリング画像等）を生成するＸ線ＣＴ撮影が行われている。
【０００３】
このようなＸ線ＣＴ撮影では、Ｘ線発生器とＸ線検出器との間に被写体を配置した状態で、Ｘ線発生器とＸ線検出器とを被写体周りに旋回させながら、Ｘ線発生器からコーン状のＸ線（Ｘ線コーンビーム）を被写体に照射する。そして、Ｘ線検出器によってＸ線の検出結果（投影データ）を収集し、収集したＸ線の検出結果（投影データ）に基づいて三次元データを再構成する。このようなＸ線ＣＴ撮影を行う装置として、例えば特許文献１に開示されている。
【０００４】
特許文献１に記載のＸ線ＣＴ撮影装置は、Ｘ線ＣＴ撮影中に一対のチャンネルコリメータをＸ線発生器の前で変位させ、ＣＴ撮影領域（field of
view（FOV））の形状を円や楕円として、被写体である患者の関心領域のみをＸ線ＣＴ撮影できるとされている。
【０００５】
しかしながら、実際の関心領域は、アーチ状の歯列弓領域の全体や一部であるため、円状や楕円状のＣＴ撮影領域では、必要が無い箇所にまでＸ線を照射してＸ線被曝量が無駄に増大したり、逆に、関心領域全体にＸ線を照射できなかったりするおそれがあった。
【先行技術文献】
【特許文献】
【０００６】
【特許文献１】特開平１１−１９０７８号公報
【発明の概要】
【発明が解決しようとする課題】
【０００７】
そこで本発明は、適切なＣＴ撮影領域を設定することにより、関心領域に対して適切にＸ線コーンビームを照射し、無駄なＸ線被曝量を低減するとともに、確実に関心領域をＸ線ＣＴ撮影できるＸ線ＣＴ撮影装置、及びＸ線ＣＴ撮影方法を提供することを目的とする。
【課題を解決するための手段】
【０００８】
この発明は、Ｘ線を発生するＸ線発生器と、該Ｘ線発生器から発生した前記Ｘ線の照射範囲を規制してＸ線コーンビームを形成するＸ線規制部と、被写体に照射された前記Ｘ線コーンビームを検出するＸ線検出器と、前記Ｘ線発生器と前記Ｘ線検出器とを前記被写体を挟んで対向させた状態で支持する支持体と、少なくとも前記支持体を旋回軸の軸周りに旋回駆動し、前記Ｘ線発生器と前記Ｘ線検出器とを前記被写体の周りに旋回させる支持体駆動部と、ＣＴ撮影領域が、歯列弓領域に沿った長手方向を有する略長円形状または前記歯列弓領域の形状に適合する略三角形状となるように、前記ＣＴ撮影領域に応じて、前記旋回軸の軸方向に直交する横方向の前記Ｘ線規制部の規制を撮影中に可変制御するＸ線規制制御部とを備えたＸ線ＣＴ撮影装置あるいはＣＴ撮影方法であることを特徴とする。
【０００９】
上記歯列弓領域は、歯列が描く弓状の曲線で囲む領域、あるいは、歯列が植立する顎骨を含む領域とすることができ、さらには、歯列が植立する上顎、下顎あるいは、それらの両方における領域とすることができる。  
上記旋回軸は、撮影装置本体に対して固定された旋回軸、あるいは、支持体の旋回角度に応じて横方向に相対移動可能に構成した旋回軸とすることができる。
【００１０】
上述の前記歯列弓領域に沿った長手方向を有する略長円形状は、アーチ状（弓状）である歯列において少なくとも所定の長さを有する範囲に沿う曲線部分を有する閉鎖領域の略長円形状であり、詳しくは、外向きに凸状な曲線や直線で構成する略長円形状とすることができる。
【００１１】
また、上述の前記歯列弓領域の形状に適合する略三角形状は、３つの角部のうち少なくともひとつの角部や辺が外側向き凸状の弧によって丸みを有する形状であり、３つの角部のうち少なくともひとつの角部や辺が、アーチ状の歯列弓領域の少なくとも一部に沿う形状とすることができる。
【００１２】
上記ＣＴ撮影領域設定手段は、マウスやポインティングデバイス、あるいは押圧ボタン等の入力手段による構成や、歯列弓画像を表示する表示手段を構成するタッチパネル等による構成とすることができる。
【００１３】
この発明により、適切なＣＴ撮影領域を設定することにより、関心領域に対して適切にＸ線コーンビームを照射し、無駄なＸ線被曝量を低減するとともに、確実に関心領域をＸ線ＣＴ撮影することができる。
【００１４】
詳しくは、ＣＴ撮影領域が、歯列弓領域に沿った長手方向を有する略長円形状または前記歯列弓領域の形状に適合する略三角形状となるように、前記ＣＴ撮影領域に応じて、前記旋回軸の軸方向に直交する横方向の前記Ｘ線規制部の規制を撮影中に可変制御するＸ線規制制御部とを備えているため、適切なＣＴ撮影領域を設定することにより、関心領域に対して適切にＸ線コーンビームを照射し、確実に関心領域をＸ線ＣＴ撮影することができる。また、関心領域に対して適切にＸ線コーンビームを照射するため、無駄なＸ線被曝量を低減することができる。
【００１５】
この発明の態様として、前記歯列弓領域に対してＣＴ撮影領域の設定操作を受け付けるＣＴ撮影領域設定手段とを備え、前記表示手段に表示する前記歯列弓画像に、前記設定ＣＴ撮影領域を示す設定領域画像を重畳表示することができる。  
この発明により、前記歯列弓領域に対して、より適切にＣＴ撮影領域を設定することができる。
【００１６】
詳しくは、前記表示手段に表示する前記歯列弓画像に、前記設定ＣＴ撮影領域を示す設定領域画像が重畳表示されるため、関心領域に対して設定ＣＴ撮影領域を適切な形状、大きさ及び位置で設定していることを目視で確認できる。したがって、前記歯列弓領域に対して、より適切にＣＴ撮影領域を設定することができる。
【００１７】
仮に、歯列弓領域の画像である歯列弓画像を表示する表示手段をタッチパネル等の操作入力可能な構成とすると、表示された前記歯列弓領域に対して直接、ＣＴ撮影領域の設定操作ができ、より容易、且つ適切にＣＴ撮影領域を設定することができる。
【００１８】
またこの発明の態様として、前記ＣＴ撮影領域設定手段を、前記表示手段に表示した前記歯列弓画像に示す湾曲した前記歯列弓領域の曲線上において、関心領域の一端と他端の位置を指定する指定操作を受け付ける構成とすることができる。
【００１９】
この発明により、より簡単な操作で、関心領域に対してＣＴ撮影領域を適切に設定することができる。  
例えば、始点及び終点として指定する２本の歯の組み合わせによるＣＴ撮影領域を予め設定し、設定されたＣＴ撮影領域のうち、関心領域の一端と他端の位置を指定する指定操作に対応するＣＴ撮影領域を設定ＣＴ撮影領域として設定することができる。したがって、より簡単な操作で、関心領域に対してＣＴ撮影領域を適切に設定することができる。
【００２０】
またこの発明の態様として、前記表示手段に表示する前記歯列弓画像を複数の分割エリアに分けて表示し、前記ＣＴ撮影領域設定手段を、前記分割エリアのいずれかを選択する指定操作を受け付ける構成とすることができる。  
この発明により、より簡単な操作で、関心領域に対してＣＴ撮影領域を適切に設定することができる。
【００２１】
詳しくは、歯列を複数のグループに分けて分割エリアを設定し、前記表示手段に表示する前記歯列弓画像を複数の分割エリアに分けて表示する、あるいは分割エリアの範囲を重畳表示することにより、前記ＣＴ撮影領域設定手段として、表示された前記分割エリアのいずれかを選択する指定操作を受け付け、より簡単な操作で、関心領域に対してＣＴ撮影領域を適切に設定することができる。
【００２２】
またこの発明の態様として、前記歯列弓画像を、前記被写体について撮影済みのパノラマ画像とすることができる。  
この発明により、例えば、歯の欠損等の被写体である患者特有の状態をパノラマ画像で確認しながら、関心領域に対してＣＴ撮影領域を設定することができる。したがって、関心領域に対してさらに適切にＸ線コーンビームを照射し、無駄なＸ線被曝量をより低減することができる。
【００２３】
またこの発明の態様として、前記旋回軸の軸方向を縦方向とし、前記Ｘ線規制部を、前記ＣＴ撮影領域に対して前記Ｘ線コーンビームの照射範囲を前記縦方向と前記横方向の少なくともいずれかに遮蔽量を可変に遮蔽して規制するＸ線遮蔽手段で構成することができる。  
この発明により、設定ＣＴ撮影領域に応じたＣＴ撮影領域を、より確実に形成することができる。したがって、無駄なＸ線被曝量を確実に低減することができる。
【００２４】
またこの発明の態様として、前記Ｘ線遮蔽手段を、それぞれ前記横方向に移動して、前記Ｘ線コーンビームの前記横方向の広がりを規制する２枚のＸ線遮蔽板からなる横方向規制遮蔽板で構成することができる。  
上述のそれぞれ前記横方向に移動して、前記Ｘ線コーンビームの前記横方向の広がりを規制する２枚のＸ線遮蔽板からなる横方向規制遮蔽板は、Ｘ線発生器から発生したＸ線の照射範囲における横方向の左右のうち少なくとも一方を遮蔽する手段であり、横方向のみ、あるいは縦方向とともに横方向を遮蔽する手段とすることができる。
【００２５】
この発明により、前記Ｘ線コーンビームの横方向における照射方向を制御しながら、設定ＣＴ撮影領域に応じたＣＴ撮影領域を、より確実に形成することができる。したがって、無駄なＸ線被曝量を低減するとともに、確実に関心領域をＸ線ＣＴ撮影することができる。
【００２６】
またこの発明の態様として、前記Ｘ線遮蔽手段に、それぞれ前記縦方向に移動して、前記Ｘ線コーンビームの前記縦方向の広がりを規制する２枚のＸ線遮蔽板からなる縦方向規制遮蔽板を備えることができる。  
上述のそれぞれ前記縦方向に移動して、前記Ｘ線コーンビームの前記縦方向の広がりを規制する２枚のＸ線遮蔽板からなる縦方向規制遮蔽板は、Ｘ線発生器から発生したＸ線の照射範囲における縦方向の上部及び下部のうち少なくとも一方を遮蔽する手段であり、縦方向のみ、あるいは横方向とともに縦方向を遮蔽する手段とすることができる。
【００２７】
この発明により、前記Ｘ線コーンビームの縦方向における照射方向を制御しながら、設定ＣＴ撮影領域に応じたＣＴ撮影領域を、より確実に形成することができる。したがって、無駄なＸ線被曝量を低減するとともに、確実に関心領域をＸ線ＣＴ撮影することができる。
【００２８】
またこの発明の態様として、前記Ｘ線発生器に対する前記縦方向規制遮蔽板の前記縦方向の位置を調整して、前記Ｘ線コーンビームの前記縦方向における照射方向を制御する縦方向照射位置調整手段を備えることができる。  
【００２９】
この発明により、例えば、関心領域を上顎のみ、あるいは下顎のみといった、Ｘ線発生器から照射するＸ線に対して縦方向に偏心した局所的な関心領域を設定ＣＴ撮影領域として設定した場合であっても、設定ＣＴ撮影領域に応じたＣＴ撮影領域を、より確実に形成することができる。したがって、無駄なＸ線被曝量を低減するとともに、確実に関心領域をＸ線ＣＴ撮影することができる。
【００３０】
またこの発明の態様として、前記旋回軸の軸方向を鉛直方向とするとともに、前記鉛直方向に直交する方向を水平方向とし、前記旋回軸を吊下げ保持する支持体保持手段と、前記支持体保持手段に対して、前記水平方向における二次元方向に前記旋回軸を相対移動させる二次元移動機構からなる前記支持体駆動部とを備えることができる。あるいは、この発明の態様として、前記旋回軸の軸方向を鉛直方向とするとともに、前記鉛直方向に直交する方向を水平方向とし、前記被写体を保持する被写体保持手段と、前記旋回軸に対して、前記水平方向における二次元方向に前記被写体保持手段を相対移動させる二次元移動機構からなる前記支持体駆動部とを備えることができる。
【００３１】
この発明により、仮に、歯列弓領域の中心から偏心した位置にある設定ＣＴ撮影領域であっても、Ｘ線コーンビームの広がりを設定ＣＴ撮影領域に対してより適切に調整することができる。
【００３２】
またこの発明の態様として、前記Ｘ線遮蔽手段の規制により形成した前記鉛直方向に延伸する細隙状のＸ線細隙ビームの軌跡が、パノラマＸ線撮影における包絡線を形成するように前記支持体駆動部を駆動制御する駆動制御部を備えることができる。
【００３３】
この発明により、パノラマ画像が必要な場合にも別のＸ線撮影装置を準備することなく、無駄なＸ線被曝量を低減することができるＸ線ＣＴ撮影装置によりＸ線細隙ビームでパノラマＸ線撮影することもできる。したがって、無駄なＸ線被曝量を低減することができるＸ線ＣＴ撮影装置の汎用性を向上することができる。
【００３４】
またこの発明の態様として、前記Ｘ線規制制御部を、前記旋回軸の軸方向から見た前記ＣＴ撮影領域が、長手方向が前記歯列弓領域の長手方向に沿った略オーバル形状となるように前記Ｘ線規制部を制御する構成、あるいは、前記旋回軸の軸方向から見た前記ＣＴ撮影領域が、前歯近傍に頂部が位置し、前記歯列弓領域の外周を結ぶ略長円形状または略三角形状となるように前記Ｘ線規制部を制御する構成とすることができる。
【００３５】
上記オーバル形状は、スムーズで滑らかな曲線で構成した、平面上において凸状の閉鎖形状であるとともに、少なくとも一箇所の線対称な部分を有する形状であり、例えば、楕円、二つの等しい長さの平行線と二つの半円形からなる長円状の角丸長方形、角部が弧状に面取りされた四角形、あるいは卵形等とすることができる。しかしながら、上記略オーバル形状には、少なくとも一箇所の線対称な部分を有する形状に近似する形状は含む概念である。
【００３６】
上記前歯近傍に頂部が位置し、前記歯列弓領域の外周を結ぶ略長円形状または略三角形状は、前歯に向かって凸な略長円形状または略三角形状あるいは前歯に沿った底辺を有する略長円形状または略三角形状であり、角部が弧状に面取りされ、辺部分を曲線で構成する略三角円形状、３つの角部のうち少なくともひとつの角部や辺が外側向き凸状の弧によって丸みを有する略三角形状を含む概念である。
【００３７】
この発明により、前記Ｘ線規制部を制御することで、設定ＣＴ撮影領域の形状に応じて、長手方向が前記歯列弓領域の長手方向に沿った略オーバル形状、あるいは前歯近傍に頂部が位置し、前記歯列弓領域の外周を結ぶ略長円形状または略三角形状に絞り込むことによって、無駄なＸ線被曝量を低減できるとともに、Ｘ線検出器の検出範囲を小さくすることができる。
【００３８】
またこの発明の態様として、前記Ｘ線規制制御部を、前記旋回軸の軸方向から見た前記ＣＴ撮影領域が、前記略長円形状及び前記略三角形状の少なくとも一方に加えて、真円形状となるように前記Ｘ線規制部を制御する構成とすることができる。  
上記真円形状は、複数の径の真円形状を選択可能に構成してもよいし、さらには、周方向において半径がわずかに変化する略真円状を含む概念である。
【００３９】
この発明により、部位や症例応じて適切なＣＴ撮影領域を設定し、無駄なＸ線被曝量を低減することができる。詳しくは、例えば埋もれた智歯の領域で智歯が横倒しに近い状態になっていないかなどを観察する場合や、腫瘍の広がりの状況を診たい場合、あるいは歯列弓領域の長手部分のみならず、その舌側・頬側に広がる領域の観察も要する診断等の様々な症例や部位に応じて、ＣＴ撮影領域を、略長円形状や略三角形状と、真円形状とを選択可能に構成することによって、関心領域以外の箇所に照射される無駄なＸ線被曝量を低減することができる。したがって、無駄なＸ線被曝量を低減できるＸ線ＣＴ撮影装置の汎用性を向上することができる。
【発明の効果】
【００４０】
本発明により、適切なＣＴ撮影領域を設定することにより、関心領域に対して適切にＸ線コーンビームを照射し、無駄なＸ線被曝量を低減するとともに、確実に関心領域をＸ線ＣＴ撮影できるＸ線ＣＴ撮影装置及びＸ線ＣＴ撮影方法を提供することができる。
【図面の簡単な説明】
【００４１】
【図１】Ｘ線撮影装置の概略斜視図。
【図２】セファロスタットを装着したＸ線撮影装置の部分正面図。
【図３】Ｘ線撮影装置の構成を示すブロック図。
【図４】ビーム成形機構の概略斜視図。
【図５】照射範囲が規制されたＸ線コーンビームを照射した状態のＸ線発生部の概略斜視図による説明図。
【図６】縦方向遮蔽板及び横方向遮蔽板の位置調整についての説明図。
【図７】別の実施形態における縦方向遮蔽板及び横方向遮蔽板の位置調整についての説明図。
【図８】長円状ＣＴ撮影領域を設定する設定画面の概略図。
【図９】右側歯列撮影対象物を長円状ＣＴ撮影領域としてＸ線ＣＴ撮影の軌跡を示す概略平面図。
【図１０】右側歯列撮影対象物を長円状ＣＴ撮影領域として撮影するＸ線ＣＴ撮影の様子についての説明図。
【図１１】右側歯列撮影対象物を長円状ＣＴ撮影領域として撮影するＸ線ＣＴ撮影の様子についての説明図。
【図１２】右側歯列撮影対象物を長円状ＣＴ撮影領域として撮影するＸ線ＣＴ撮影の軌跡を示す概略平面図。
【図１３】撮影対象物に対する縦方向照射範囲が規制されたＸ線コーンビームについての説明図。
【図１４】長円状ＣＴ撮影領域を設定する別の実施形態の設定画面の概略図。
【図１５】長円状ＣＴ撮影領域を設定する別の実施形態の設定画面の概略図。
【図１６】長円状ＣＴ撮影領域を設定する別の実施形態の設定画面の概略図。
【図１７】長円状ＣＴ撮影領域を設定する別の実施形態の設定画面の概略図。
【図１８】撮影対象物を楕円状ＣＴ撮影領域として撮影するＸ線ＣＴ撮影の軌跡を示す概略平面図。
【図１９】ＣＴ撮影領域の形状についての説明図。
【図２０】局所的撮影対象物を真円状ＣＴ撮影領域として撮影するＸ線ＣＴ撮影の軌跡を示す概略平面図。
【図２１】局所的撮影対象物を真円状ＣＴ撮影領域として設定する設定画面の概略図。
【図２２】撮影対象物をパノラマ撮影する軌跡を示す概略平面図。
【図２３】旋回軸を移動するための旋回アーム及び上部フレームの内部構造についての説明図。
【図２４】旋回軸を移動させてＸ線コーンビームの広がりを規制するＸ線撮影装置の構成を示すブロック図。
【図２５】撮影対象物をパノラマ撮影する軌跡を示す別の実施形態の概略平面図。
【図２６】ＣＴ撮影領域を従来の真円状の真円状ＣＴ撮影領域とした場合と略三角形状ＣＴ撮影領域とした場合とを比較して示す平面図。
【図２７】ＣＴ撮影領域を真円状の真円状ＣＴ撮影領域とした従来のＣＴ撮影場合の説明図。
【発明を実施するための形態】
【００４２】
以下、本発明によるＸ線ＣＴ撮影装置１について、図１乃至図８とともに説明する。  
なお、図１はＸ線ＣＴ撮影装置１の概略斜視図を示し、図２はセファロスタット４３を装着したＸ線ＣＴ撮影装置１の部分正面図を示し、図３はＸ線ＣＴ撮影装置１の構成を示すブロック図を示し、図４はビーム成形機構１３の概略斜視図を示している。
【００４３】
また、図５は照射範囲が規制されたＸ線コーンビームＢＸを照射した状態のＸ線発生部１０の概略斜視図による説明図を示し、図６，７は縦方向遮蔽板１４及び横方向遮蔽板１５の位置調整についての説明図を示している。
【００４４】
詳しくは、図５（ａ）は大照射野ＣＴ用の大照射野ＣＴ用Ｘ線コーンビームＢＸ１を照射した状態のＸ線発生部１０の概略斜視図を示し、図５（ｂ）は小照射野ＣＴ用の小照射野ＣＴ用Ｘ線コーンビームＢＸ２を照射した状態のＸ線発生部１０の概略斜視図を示している。
【００４５】
また、図６（ａ）はＸ線コーンビームＢＸの照射範囲を大照射野ＣＴ用に規制する場合の縦方向遮蔽板１４及び横方向遮蔽板１５の位置調整についての正面図を示し、図６（ｂ）はＸ線コーンビームＢＸの照射範囲を小照射野ＣＴ用に規制する場合の縦方向遮蔽板１４及び横方向遮蔽板１５の位置調整についての正面図を示し、図６（ｃ）はＸ線の照射範囲をＸ線細隙ビームＢＸＰとしてパノラマ撮影用に規制する場合の縦方向遮蔽板１４及び横方向遮蔽板１５の位置調整についての正面図を示している。なお、図７（ａ）、（ｂ）、（ｃ）は、図６（ａ）、（ｂ）、（ｃ）と同様の状態をＬ型遮蔽板１８で実施した場合について示している。
【００４６】
Ｘ線ＣＴ撮影装置１は、関心領域について長円状の長円状ＣＴ撮影領域ＣＡａを設定するともに、表示手段として機能する操作表示部６１と、該操作表示部６１によって設定された長円状ＣＴ撮影領域ＣＡａに対してＸ線ＣＴ撮影を実行して、投影データを収集する本体部２と、本体部２において収集した投影データを処理して、各種画像を生成する情報処理装置８とに大別される。
【００４７】
本体部２の制御部６０、情報処理装置８の制御部と演算処理部８０１ｂ（図3参照）は、Ｘ線ＣＴ撮影を含むＸ線撮影のプログラムＩＭＰ（図示省略）に従ってＸ線撮影を実行する。  
なお、プログラムＩＭＰは、画像表示ステップｓ１００、重畳表示ステップｓ１１０、設定操作受付ステップｓ１２０及びＸ線規制ステップｓ１３０をこの順で進行する。
【００４８】
なお、中空の縦長直方体状の防Ｘ線室７０に収容された本体部２と、防Ｘ線室７０の壁面に装着された操作表示部６１と、防Ｘ線室７０の外部に配置された情報処理装置８とは、接続ケーブル８３によって相互に接続されている。
【００４９】
本体部２は、被写体Ｍ１に向けてＸ線の束で構成するＸ線コーンビームＢＸやＸ線細隙ビームＢＸＰを出射するＸ線発生部１０と、Ｘ線発生部１０で出射されたＸ線を検出するＸ線検出部２０と、Ｘ線発生部１０とＸ線検出部２０とをそれぞれ支持する支持体である旋回アーム３０と、鉛直方向に延びる支柱５０と、旋回アーム３０を吊り下げるとともに、支柱５０に対して鉛直方向に昇降移動可能な昇降部４０と、本体制御部６０とで構成している。なお、Ｘ線発生部１０、Ｘ線検出部２０及びＸ線発生部１０のＸ線検出部２０側に配置したビーム成形機構１３を撮像機構３としている。
【００５０】
Ｘ線発生部１０及びＸ線検出部２０は、旋回アーム３０の両端部にそれぞれ吊り下げ固定されており、互いに対向するように支持されている。旋回アーム３０は、鉛直方向に延びる旋回軸３１を介して、昇降部４０に吊り下げ固定されている。
【００５１】
旋回アーム３０は、正面視略逆Ｕ字状であり、上端部に備えた旋回軸３１を旋回中心Ｓｃとして旋回する。なお、本実施形態において、旋回中心Ｓｃは上部フレーム４１に対して固定した位置としている。また、正面視略逆Ｕ字状である旋回アーム３０両端のそれぞれに、Ｘ線発生部１０とＸ線検出部２０とを装着している。なお、旋回アーム３０の形状はこれに限定されず、例えば、円環状部分の中心を回転中心として回転する部材に、Ｘ線発生部１０とＸ線検出部２０とを対向するようにして支持してもよい。
【００５２】
ここで、以下においては、旋回軸３１の軸方向と平行な方向（ここでは、鉛直方向、すなわち縦方向）を「Ｚ軸方向」とし、このＺ軸に交差する方向を「Ｘ軸方向」とし、さらにＸ軸方向及びＺ軸方向に交差する方向を「Ｙ軸方向」とする。なお、Ｘ軸及びＹ軸方向は任意に定め得るが、ここでは、被写体Ｍ１である被検者がＸ線ＣＴ撮影装置１において位置決めされて支柱５０に正対した時の被検者の左右の方向をＸ軸方向とし、被検者の前後の方向をＹ軸方向と定義する。Ｘ軸方向、Ｙ軸方向、Ｚ軸方向は、本実施形態では互いに直交するものとする。また、以下において、Ｚ軸方向を鉛直方向、Ｘ軸方向とＹ軸方向の２次元で規定される平面上の方向を水平方向と呼ぶこともある。
【００５３】
これに対して、旋回する旋回アーム３０上の三次元座標については、Ｘ線発生部１０とＸ線検出部２０とが対向する方向を「ｙ軸方向」とし、ｙ軸方向に直交する水平方向を「ｘ軸方向」とし、これらｘ及びｙ軸方向に直交する鉛直方向を「ｚ軸方向」とする。本実施形態及びそれ以降の実施形態においては、上記のＺ軸方向はｚ軸方向と共通する同一の方向となっている。また本実施形態の旋回アーム３０は、鉛直方向に延びる旋回軸３１を回転軸として旋回する。したがって、ｘｙｚ直交座標系は、ＸＹＺ直交座標系に対してＺ軸（＝ｚ軸）周りに回転することとなる。
【００５４】
また、図１に示すＸ線発生部１０、Ｘ線検出部２０を上から平面視したときにＸ線発生部１０からＸ線検出部２０へ向かう方向を（＋ｙ）方向とし、この（＋ｙ）方向に直交する水平な右手方向（図示の旋回アーム３０の向きにおいて、図示の被写体Ｍ１の正面側）を（＋ｘ）方向とし、鉛直方向上向きを（＋ｚ）方向とする。
【００５５】
昇降部４０は、上部フレーム４１と下部フレーム４２とで構成し、鉛直方向に沿って立設された支柱５０に係合する側の反対側、つまり正面側に突出する構成である。  
支持体保持手段として機能する上部フレーム４１には、旋回アーム３０における旋回軸３１が取り付けられており、昇降部４０が支柱５０に沿って鉛直方向に移動することによって、旋回アーム３０を上下に移動することができる。
【００５６】
なお、上部フレーム４１には、旋回軸３１を中心として、旋回アーム３０を旋回させる旋回用モータ３７（支持体駆動部に対応）を備え、ベルトやプーリ、回転軸等からなり、旋回軸３１中を通る伝達機構（図示省略）により、旋回用モータ３７による回転力を旋回アーム３０に伝達して、旋回アーム３０を旋回させる。なお、本実施形態では、旋回軸３１が鉛直方向に沿って延びるように構成されているが、旋回軸は鉛直方向に対して任意の角度で傾けてもよい。
【００５７】
また、旋回軸３１と旋回アーム３０の間にはベアリング３８（図２３参照）が介在しており、旋回軸３１に対して旋回アーム３０がスムーズに回転するよう構成している。
【００５８】
なお、旋回軸３１、ベアリング３８、ベルトやプーリ、回転軸等からなる伝達機構及び旋回用モータ３７（図２３参照）は、旋回アーム３０を旋回する旋回機構の一例であり、上述の旋回機構では回転しない旋回軸３１に対して旋回アーム３０が旋回する構造であるが、このようなものに限定されない。  
例えば、旋回アーム３０に回転固定された旋回軸３１を、上部フレーム４１に対して回転させて旋回アーム３０を旋回してもよい。
【００５９】
下部フレーム４２には、被写体Ｍ１（ここでは、人体の頭部）を左右から固定するイヤロッドや、顎を固定するチンレスト等で構成される被写体固定部４２１を設けている。
【００６０】
旋回アーム３０は、被写体Ｍ１の身長に合わせて昇降部４０の昇降に伴って昇降されて適当な位置に合わせられ、その状態で被写体Ｍ１が被写体固定部４２１に固定される。なお、被写体固定部４２１は、図１に示した例では被写体Ｍ１の体軸が旋回軸３１の軸方向とほぼ同じ方向となるように被写体Ｍ１を固定する。
【００６１】
Ｘ線規制制御部及び駆動制御部として機能する本体制御部６０は、本体部２の各構成の動作を制御する制御部であり、図１に示すように、Ｘ線検出部２０の内部に配置されている。
【００６２】
また、本体制御部６０の外側、すなわちＸ線検出部２０のＸ線検出器２１を設置している側における背面側には、各種命令を入力操作するためのボタン等や各種情報を表示するタッチパネルで構成した操作表示部６２が取り付けられている。
【００６３】
本体部２を収容する防Ｘ線室７０の壁の外側には、本体制御部６０からの制御に基づいて、各種命令を入力操作するためのボタン等や各種情報を表示するタッチパネルで構成した操作表示部６１が取り付けられている。
【００６４】
なお、操作者（術者）は操作表示部６２によって本体部２を操作してもよいし、操作表示部６１によって本体部２を操作してもよい。  
さらに、操作表示部６２と操作表示部６１とで行う操作や表示を分担するように構成してもよいし、操作表示部６２と操作表示部６１とで行う操作や表示の一部あるいは全部を共通のものとしてもよい。
【００６５】
さらにまた、例えば、防Ｘ線室７０を設けない場合は、操作表示部６１を省略するように、操作表示部６２と操作表示部６１の一方を省略してもよい。以下において、操作表示部６１による表示や操作について説明するが、操作表示部６２による表示や操作に置き換えてもよい。
【００６６】
操作表示部６１は、生体器官等の撮影領域の位置などを指定すること等にも用いられる。また、Ｘ線撮影には各種のモードがあるが、操作表示部６１の操作によって、モードの選択ができるように構成してもよい。
【００６７】
詳しくは、操作表示部６１には、図８に示すような、長円状ＣＴ撮影領域ＣＡａを設定するためのＣＴ撮影領域設定画面２００を表示する。なお、操作表示部６２に表示する場合は、ＣＴ撮影領域設定画面２００と同様のＣＴ撮影領域設定画面２０２を操作表示部６２に表示する。
【００６８】
ＣＴ撮影領域設定手段として機能するＣＴ撮影領域設定画面２００は、歯列弓画像２１１を表示する画像表示部２１０と、上下顎選択部２２０と、選択範囲設定部２３０と、条件設定部２４０とで構成している。なお、図８におけるＣＴ撮影領域設定画面２００は、歯列弓領域Ｘに対して、歯列弓を構成するアーチ状の曲線に沿った長円状の長円状ＣＴ撮影領域ＣＡａを設定する長円状モ−ドの設定画面である。
【００６９】
画像表示部２１０は、表示された歯列弓画像２１１（画像表示ステップｓ１００）に対して、設定する長円状ＣＴ撮影領域ＣＡａにおける長手方向の中心を指定する指定カーソル（ポインタ）２１２と、指定カーソル２１２で指定された中心に対し、後述する選択範囲設定部２３０で指定された長円状ＣＴ撮影領域ＣＡａが囲む歯の本数に応じた長円状であり、設定ＣＴ撮影領域を示す設定領域画像であるＣＴ撮影領域ライン２１３とを重畳表示している（重畳表示ステップｓ１１０）。
【００７０】
厳密には、ＣＴ撮影領域ライン２１３で示される表示上の設定ＣＴ撮影領域（上記の場合は長円状ＣＴ撮影領域ＣＡａ）と、実際の三次元空間上のＣＴ撮影領域とは区別して考えられる。しかしながら、図８、図１４に示す実施形態では、好ましくは表示上の設定ＣＴ撮影領域と実際の三次元空間上のＣＴ撮影領域とを領域的に一致するように設定している。ただし、表示上の設定ＣＴ撮影領域を操作者（術者）が認識しやすいように実際の三次元空間上のＣＴ撮影領域に対して若干変形加工して表示するように構成してもよい。
【００７１】
上下顎選択部２２０は、長円状ＣＴ撮影領域ＣＡａを上顎に設定するＵＰＰＥＲボタン２２１と、上顎及び下顎の両方に設定するＦＵＬＬボタン２２２と、下顎に設定するＬＯＷＥＲボタン２２３とで構成している。
【００７２】
選択範囲設定部２３０は、等間隔に歯数が設定されたスケール２３１ａと、スケール２３１ａに対して所望の本数を指定可能にスライドするスライダ２３１ｂとで構成するスライド設定部２３１を有している。
【００７３】
条件設定部２４０は、Ｓｅｔボタン２４１と、Ｒｅｓｅｔボタン２４２と、Ｓｔａｒｔボタン２４３と、Ｍｏｄｅボタン２４４と、Ｒｅｔｕｒｎボタン２４５とで構成している。  
Ｓｅｔボタン２４１は、画像表示部２１０、上下顎選択部２２０及び選択範囲設定部２３０で設定された長円状ＣＴ撮影領域ＣＡａの指定内容を確定する（設定操作受付ステップｓ１２０を実行する）操作ボタンである。  
Ｒｅｓｅｔボタン２４２は、画像表示部２１０、上下顎選択部２２０及び選択範囲設定部２３０で設定された長円状ＣＴ撮影領域ＣＡａの指定内容をリセットする操作ボタンである。
【００７４】
Ｓｔａｒｔボタン２４３は、Ｓｅｔボタン２４１で確定した指定内容に基づいて長円状ＣＴ撮影領域ＣＡａのＸ線ＣＴ撮影を開始指示する操作ボタンである。  
Ｍｏｄｅボタン２４４は、各種モードを選択するためのボタンであり、複数本の歯を含む長円状ＣＴ撮影領域ＣＡａを設定する長円状モ−ドから、歯列弓領域Ｘにおける局所的な撮影対象物に対して真円状の真円状ＣＴ撮影領域ＣＡｄを設定する真円状モードとを切り替える操作ボタンである。なお、パノラマ撮影も可能な装置である場合には、Ｍｏｄｅボタン２４４によってパノラマモードの選択も可能に構成することとなる。  
なお、上記パノラマ撮影はパノラマＸ線撮影を示しており、パノラマ画像はパノラマＸ線画像である。
【００７５】
Ｒｅｔｕｒｎボタン２４５は、図示省略する初期画面に戻る操作ボタンである。  
なお、上述の説明では、操作表示部６１をタッチパネルで構成し、ＣＴ撮影領域設定画面２００に表示した指定カーソル２１２等の操作による長円状ＣＴ撮影領域ＣＡａの設定操作を受け付けたが、操作表示部６１を液晶画面で構成し、マウスやポインティングデバイスや、あるいは操作表示部６１の近傍に配置した操作ボタンによって、ＣＴ撮影領域ＣＡの設定操作を受け付けてもよい。
【００７６】
また、上述の説明では、操作表示部６１にＣＴ撮影領域設定画面２００を表示して、ＣＴ撮影領域ＣＡの設定操作を受け付けたが、ＣＴ撮影領域設定画面２００を、後述する情報処理装置８の表示部８１に表示して、ＣＴ撮影領域ＣＡの設定操作を受け付けてもよい。
【００７７】
情報処理装置８は、情報処理本体部８０と、例えば液晶モニタ等のディスプレイ装置からなる表示部８１、及び、キーボードやマウス等で構成される操作部８２とで構成し、操作者（術者）は操作部８２を介して情報処理装置８に対して各種指令を入力することができる。なお、表示部８１は、タッチパネルで構成することも可能であり、この場合は、表示部８１が操作部８２の機能の一部または全部を備えることとなる。
【００７８】
情報処理本体部８０は、例えばコンピュータやワークステーション等で構成され、通信ケーブルである接続ケーブル８３によって本体部２との間で各種データを送受信することができる。ただし、本体部２と情報処理装置８との間で、無線通信によりデータを送受信してもよい。
【００７９】
情報処理装置８は、本体部２で取得された投影データを加工して、ボクセルで表現される三次元データ（ボリュームデータ）を再構成する処理装置であり、例えば、三次元データ中に特定の面を設定し、その特定の面の断層面画像を再構成することができる。
【００８０】
なお、図２に示すように、Ｘ線ＣＴ撮影装置１にセファロスタット４３を装着してもよい。詳しくは、セファロスタット４３は、例えば、昇降部４０の途中から水平方向に延びるアーム５０１に取り付けられる。セファロスタット４３には、頭部を定位置に固定する固定具４３１やセファロ撮影用のＸ線検出器４３２が備えられる。なお、セファロスタット４３としては、特開２００３−２４５２７７号公報に開示されているセファロスタットを含む種々のものを採用することができる。
【００８１】
次に、Ｘ線発生部１０で発生したＸ線の照射範囲を遮蔽して規制し、Ｘ線検出部２０に向けて角錐台状に広がるＸ線コーンビームＢＸを形成するビーム成形機構１３について図４乃至図７とともに説明する。
【００８２】
旋回アーム３０においてＸ線検出部２０に対向配置したＸ線発生部１０は、Ｘ線管をハウジング１１に収容したＸ線発生器１０ａで構成している。なお、ハウジング１１の前面には、Ｘ線管で発生したＸ線の透過を許容する出射口１２を備えている。そして、出射口１２の前方（図４における手前側であり、Ｘ線発生部１０に対してｙ軸方向）にビーム成形機構１３を配置している。
【００８３】
Ｘ線規制部として機能するビーム成形機構１３は、Ｘ線の照射範囲における縦方向（ｚ方向）を遮蔽する縦方向遮蔽板１４（１４ａ，１４ｂ）と、横方向（ｘ方向）を遮蔽する横方向遮蔽板１５（１５ａ，１５ｂ）と、縦方向遮蔽板１４や横方向遮蔽板１５を移動させる遮蔽板移動機構１６（１６ａ，１６ｂ）とで構成している。
【００８４】
縦方向遮蔽板１４は、出射口１２の正面視上下のそれぞれに配置した横長板状の上側縦方向遮蔽板１４ａと下側縦方向遮蔽板１４ｂとがある。また、横方向遮蔽板１５は、出射口１２の正面視左右のそれぞれに配置した縦長板状の左側横方向遮蔽板１５ａと右側横方向遮蔽板１５ｂとがある。なお、図４に示すように、横方向遮蔽板１５を縦方向遮蔽板１４よりＸ線発生部１０側に配置しているが、縦方向遮蔽板１４を横方向遮蔽板１５よりＸ線発生部１０側に配置してもよい。
【００８５】
遮蔽板移動機構１６は、２枚構成した縦方向遮蔽板１４を縦方向に移動する遮蔽板縦方向移動機構１６ａと、２枚構成した横方向遮蔽板１５を横方向に移動する遮蔽板横方向移動機構１６ｂとがある。
【００８６】
遮蔽板縦方向移動機構１６ａは、縦方向遮蔽板１４に対して縦方向に備えたネジ溝１４１（内部に雌ネジを切った被案内部材）に螺合する縦方向ネジシャフト１６１ａを位置調整モータ１６２ａ（１６２）で回転させ、縦方向遮蔽板１４を縦方向に移動する。なお、遮蔽板縦方向移動機構１６ａは、上側縦方向遮蔽板１４ａに対して上方に、下側縦方向遮蔽板１４ｂに対して下方にそれぞれ配置されているため、上側縦方向遮蔽板１４ａと下側縦方向遮蔽板１４ｂとは、独立して縦方向に移動することができる。
【００８７】
具体的には、縦方向ネジシャフト１６１ａは上下独立に２本あり、上側の１本が上側縦方向遮蔽板１４ａのネジ溝１４１に螺合し、下側の１本が下側縦方向遮蔽板１４ｂのネジ溝１４１に螺合している。
【００８８】
また、横長板状の縦方向遮蔽板１４に対して横方向にずらして遮蔽板縦方向移動機構１６ａを配置し、横方向反対側に傾き規制孔１４２（内部に縦方向の貫通口を通した被案内部材）を備え、上側縦方向遮蔽板１４ａと下側縦方向遮蔽板１４ｂの両方の傾き規制孔１４２を挿通する傾き規制シャフト１４３を備えているため、縦方向遮蔽板１４は傾くことなく、遮蔽板縦方向移動機構１６ａによって縦方向に移動することができる。  
なお、遮蔽板縦方向移動機構１６ａは、Ｘ線コーンビームＢＸの縦方向における照射方向を制御する縦方向照射位置調整手段として機能することができる。
【００８９】
遮蔽板横方向移動機構１６ｂは、横方向遮蔽板１５に対して横方向に備えたネジ溝１６１（内部に雌ネジを切った被案内部材）に螺合する横方向ネジシャフト１６１ｂを位置調整モータ１６２ｂ（１６２）で回転させ、横方向遮蔽板１５を横方向に移動する。なお、遮蔽板横方向移動機構１６ｂは、左側横方向遮蔽板１５ａに対して左側に、右側横方向遮蔽板１５ｂに対して右側にそれぞれ配置されているため、左側横方向遮蔽板１５ａと右側横方向遮蔽板１５ｂとは、独立して横方向に移動することができる。
【００９０】
具体的には、縦方向ネジシャフト１６１ｂは左右独立に２本あり、左側の１本が左側横方向遮蔽板１５ａのネジ溝１６１に螺合し、右側の１本が右側横方向遮蔽板１５ｂのネジ溝１６１に螺合している。
【００９１】
また、縦長板状の横方向遮蔽板１５に対して縦方向にずらして遮蔽板横方向移動機構１６ｂを配置し、縦方向反対側に傾き規制孔１５２を備え、左側横方向遮蔽板１５ａと右側横方向遮蔽板１５ｂの両方の傾き規制孔１５２（内部に横方向の貫通口を通した被案内部材）を挿通する傾き規制シャフト１５３を備えているため、遮蔽板移動機構１６は傾くことなく、遮蔽板横方向移動機構１６ｂによって横方向に移動することができる。
【００９２】
このように、ビーム成形機構１３を縦方向遮蔽板１４、横方向遮蔽板１５及び遮蔽板移動機構１６で構成し、Ｘ線発生部１０における出射口１２の前方に配置することにより、Ｘ線発生部１０で発生したＸ線の照射範囲を遮蔽して規制し、Ｘ線検出部２０に向けて角錐台状に広がるＸ線コーンビームＢＸを形成することができる。
【００９３】
詳しくは、上側縦方向遮蔽板１４ａと下側縦方向遮蔽板１４ｂとにおける対向縁部１４ｃ同士の間隔を遮蔽板縦方向移動機構１６ａで調整し、左側横方向遮蔽板１５ａと右側横方向遮蔽板１５ｂとにおける対向縁部１５ｃ同士の間隔を遮蔽板横方向移動機構１６ｂで調整することで、上側縦方向遮蔽板１４ａと下側縦方向遮蔽板１４ｂとにおける対向縁部１４ｃ及び左側横方向遮蔽板１５ａと右側横方向遮蔽板１５ｂとにおける対向縁部１５ｃにより、所望の形状のＸ線コーンビームＢＸを形成する正面視四角形状の開口１７を形成することができる。
【００９４】
より具体的には、図５（ａ）及び図６（ａ）に示すように、上側縦方向遮蔽板１４ａと下側縦方向遮蔽板１４ｂとにおける対向縁部１４ｃ同士の間隔を広く調整するとともに、左側横方向遮蔽板１５ａと右側横方向遮蔽板１５ｂとにおける対向縁部１５ｃ同士の間隔を広く調整することで、開口１７は正面視大きな正方形状の大照射野用開口１７ａとなり、大照射野用開口１７ａを透過したＸ線は断面が大きな正方形となり、Ｘ線検出部２０に向けて角錐台状に広がる大照射野用Ｘ線コーンビームＢＸ１を照射することができる。
【００９５】
これに対し、図５（ｂ）及び図６（ｂ）に示すように、上側縦方向遮蔽板１４ａと下側縦方向遮蔽板１４ｂとにおける対向縁部１４ｃ同士の間隔を狭く調整するとともに、左側横方向遮蔽板１５ａと右側横方向遮蔽板１５ｂとにおける対向縁部１５ｃ同士の間隔を狭く調整することで、開口１７は正面視小さな正方形状の小照射野用開口１７ｂとなり、小照射野用開口１７ｂを透過したＸ線は断面が小さな正方形となり、Ｘ線検出部２０に向けて角錐台状に広がる小照射野用Ｘ線コーンビームＢＸ２を照射することができる。
【００９６】
さらには、図６（ｃ）に示すように、上側縦方向遮蔽板１４ａと下側縦方向遮蔽板１４ｂとにおける対向縁部１４ｃ同士の間隔を広く調整し、左側横方向遮蔽板１５ａと右側横方向遮蔽板１５ｂとにおける対向縁部１５ｃ同士の間隔を狭く調整することで、開口１７は正面視縦長の長方形状のパノラマ撮影用開口１７ｃとなり、パノラマ撮影用開口１７ｃを透過したＸ線は断面が正面視縦長の長方形となり、細隙状に鉛直方向に延伸し、Ｘ線検出部２０に向けて縦長角錐台状に広がるＸ線細隙ビームＢＸＰ（図２２参照）を照射することができる。
【００９７】
なお、上述のビーム成形機構１３は、それぞれ２枚構成した縦方向遮蔽板１４及び横方向遮蔽板１５を遮蔽板移動機構１６で移動し、所望のＸ線コーンビームＢＸを照射するための開口１７を形成したが、例えば、図７に示すように、正面視Ｌ型の２枚のＬ型遮蔽板１８を、開口１７の中心に対して点対称配置し、Ｌ型遮蔽板１８の内角部を構成する縁部１８ａ同士で開口１７を構成することができる。
【００９８】
この場合、各Ｌ型遮蔽板１８に遮蔽板縦方向移動機構１６ａと遮蔽板横方向移動機構１６ｂの両方を備え、各Ｌ型遮蔽板１８を縦方向及び横方向に移動することで開口１７の形状を調整することができる。
【００９９】
例えば、遮蔽板横方向移動機構１６ｂと同様の横方向移動機構によって横方向に変位する図示しない基台上に遮蔽板縦方向移動機構１６ａと同様の縦方向移動機構を設け、この縦方向移動機構によって１枚のＬ型遮蔽板１８を縦方向に変位させる。  
これらの横方向移動機構、基台、縦方向移動機構、Ｌ型遮蔽板１８の組を２組合わせて遮蔽板移動機構１６を構成することができる。
【０１００】
Ｘ線発生部１０に対向して旋回アーム３０に配置したＸ線検出部２０は、Ｘ線を検出するための検出面２１’を有するＸ線検出器２１で主要部を構成し、確実に検出面にＸ線コーンビームＢＸを投影することができる。
【０１０１】
上述したように構成したＸ線ＣＴ撮影装置１は、図３に示すように、ビーム成形機構１３、旋回用モータ３７（図２３参照。図２３に示すように旋回アーム３０側にあってもよいし、上述のように上部フレーム４１側にあってもよい）、Ｘ線発生部１０及びＸ線検出部２０が本体制御部６０に接続されており、予め決められたプログラムに従って駆動することによって、撮影対象物に対して設定した長円状ＣＴ撮影領域ＣＡａを適切にＸ線ＣＴ撮影することができる。以下において、Ｘ線ＣＴ撮影装置１で右側歯列撮影対象物ＯＢ１をＸ線ＣＴ撮影する態様について説明する。
【０１０２】
なお、以下の説明において、前歯を含む前歯側の歯Ｔ１、左側臼歯を含む左側臼歯側の歯Ｔ２及び右側臼歯を含む右側臼歯側の歯Ｔ３（以下、前歯Ｔ１、左側臼歯Ｔ２及び右側臼歯Ｔ３という）で構成する上顎の歯列弓における前歯Ｔ１から右側臼歯Ｔ３までの範囲を右側歯列撮影対象物ＯＢ１としている。そして、上顎における右側歯列撮影対象物ＯＢ１をＸ線ＣＴ撮影するために、右側歯列撮影対象物ＯＢ１（図８においてＣＴ撮影領域ライン２１３で囲んだ範囲）を、旋回軸３１の軸方向から見て、歯列弓領域Ｘにおける右側の曲線に沿った長円柱状の長円状ＣＴ撮影領域ＣＡａとしてＸ線ＣＴ撮影する場合について説明する。
【０１０３】
なお、図８等においては、下顎頭を有する下顎骨を図示しているが、上顎についてＣＴ撮影領域ＣＡを設定する場合であっても、下顎骨の形状を図示することにより歯牙等の位置を把握できるため、下顎骨と上顎骨の図示を分けることなく、下顎骨を表示しているだけであり、上顎骨にＣＴ撮影領域ＣＡを設定する場合と下顎骨にＣＴ撮影領域ＣＡを設定する場合とで操作表示部６１にそれぞれの顎骨を表示してもよい。
【０１０４】
まず、右側歯列撮影対象物ＯＢ１をＸ線ＣＴ撮影するためには、操作表示部６１に表示されたＣＴ撮影領域設定画面２００において、右側歯列撮影対象物ＯＢ１を含むＣＴ撮影領域ライン２１３を設定する。
【０１０５】
詳述すると、右側歯列撮影対象物ＯＢ１が上下額の一方、あるいは両方かに応じて、上下顎選択部２２０の各種ボタンで選択する。なお、図８では、上下顎選択部２２０でＵＰＰＥＲボタン２２１が押下され、上顎が選択された場合であっても、画像表示部２１０に顎骨頭を有する下顎の歯列弓画像２１１を表示しているが、上下顎選択部２２０における選択操作によって、選択された側の顎骨の歯列弓画像２１１を切り替え表示してもよい。
【０１０６】
次に、ＣＴ撮影領域設定画面２００の画像表示部２１０に表示された歯列弓画像２１１に対して、指定カーソル２１２で長円状ＣＴ撮影領域ＣＡａにおける長手方向の中心を指定するとともに、選択範囲設定部２３０におけるスライダ２３１ｂをスライドさせて長円状ＣＴ撮影領域ＣＡａに含まれる歯数を設定する。
【０１０７】
なお、スライド設定部２３１で指定する歯数が奇数本である場合は、長円状ＣＴ撮影領域ＣＡａにおける長手方向の中心として、長手方向の中心となる歯を指定カーソル２１２で指定する。
【０１０８】
具体的には、歯ＴＨ１，ＴＨ２，ＴＨ３という歯の並びがある場合において、歯ＴＨ２が長手方向の中心の歯であって、歯ＴＨ１，ＴＨ２，ＴＨ３がＣＴ撮影対象であるならば、指定カーソル２１２で歯ＴＨ２を指定するとともに、スライド設定部２３１で３本の歯数を指定して、歯ＴＨ１，ＴＨ２，ＴＨ３に対して長円状ＣＴ撮影領域ＣＡａを設定する。
【０１０９】
また、スライド設定部２３１で指定する歯数が偶数本である場合は、長円状ＣＴ撮影領域ＣＡａにおける長手方向の中心として、長手方向の中心付近の２本の歯の間を指定カーソル２１２で指定することとなる。
【０１１０】
具体的には、歯ＴＨ１，ＴＨ２，ＴＨ３，ＴＨ４，ＴＨ５という歯の並びがあり、歯ＴＨ１〜ＴＨ４を関心領域とした場合において、指定カーソル２１２で歯ＴＨ２と歯ＴＨ３の間の地点を指定して、スライド設定部２３１で４本の歯数を指定して、歯ＴＨ１〜ＴＨ４に対して長円状ＣＴ撮影領域ＣＡａを設定する。
【０１１１】
ただし、必ずしも歯と歯の間を指定せずとも、指定歯数が奇数本である場合と同様、関心領域の中心付近にある歯を指定するように構成してもよい。この場合に、実際にどのような範囲を長円状ＣＴ撮影領域ＣＡａとして設定するかは、任意に決めておくことができる。
【０１１２】
具体的には、歯ＴＨ３を指定して、スライド設定部２３１で４本の歯数を指定した場合に、歯ＴＨ１、歯ＴＨ５のそれぞれの中央部分が境界領域になるようにして、歯ＴＨ１の半分の領域と、歯ＴＨ２〜ＴＨ４の全領域と、歯ＴＨ５の半分の領域に対して長円状ＣＴ撮影領域ＣＡａを設定するように構成してもよい。
【０１１３】
さらに、前歯寄りの４本の歯ＴＨ１〜ＴＨ４に対して長円状ＣＴ撮影領域ＣＡａを設定したり、奥歯寄りの４本の歯ＴＨ２〜ＴＨ５に対して長円状ＣＴ撮影領域ＣＡａを設定したり、あるいは、設定範囲を切り上げて歯ＴＨ１〜ＴＨ５の全てに対して長円状ＣＴ撮影領域ＣＡａを設定するか、切り下げて歯ＴＨ２〜ＴＨ４に対して長円状ＣＴ撮影領域ＣＡａを設定するというように、長円状ＣＴ撮影領域ＣＡａにおける長手方向の中心の位置を若干調整するように構成してもよい。
【０１１４】
ＣＴ撮影領域設定画面２００で入力操作された、長円状ＣＴ撮影領域ＣＡａにおける長手方向の中心と、長円状ＣＴ撮影領域ＣＡａに含まれる歯数の指定操作情報は情報処理装置８に送信され、指定情報を受け付けた情報処理装置８は、中心位置と歯数とに応じて予め設定された長円状のＣＴ撮影領域ライン２１３に関する情報を操作表示部６１に送信する。情報処理装置８よりＣＴ撮影領域ライン２１３に関する情報を受信した操作表示部６１は、ＣＴ撮影領域設定画面２００の画像表示部２１０において、歯列弓画像２１１と、受信した情報に基づくＣＴ撮影領域ライン２１３とを重畳表示する。
【０１１５】
ＣＴ撮影領域設定画面２００を確認した操作者（術者）によって、ＣＴ撮影領域ライン２１３が歯列弓画像２１１に対して所望の位置及び範囲に設定されていることが確認され、Ｓｅｔボタン２４１が押下されると、ＣＴ撮影領域ライン２１３を設定長円状ＣＴ撮影領域ＣＡａとして情報処理装置８に送信し、さらに、Ｓｔａｒｔボタン２４３が押下されると、後述するように、設定長円状ＣＴ撮影領域ＣＡａに基づいて、Ｘ線ＣＴ撮影装置１による右側歯列撮影対象物ＯＢ１のＸ線ＣＴ撮影を開始する。
【０１１６】
これに対し、Ｒｅｓｅｔボタン２４２が押下されると、画像表示部２１０、上下顎選択部２２０及び選択範囲設定部２３０による指定操作をキャンセルし、指定前のデフォルトである初期状態に戻る。  
なお、図示省略するＵＮＤＯボタン、ＲＥＤＯボタンをさらに備え、１つ前の操作状態に戻ったり、戻ったところから１つ後の操作状態に進むように構成してもよい。
【０１１７】
設定ＣＴ撮影領域ＣＡに基づく、Ｘ線ＣＴ撮影装置１による右側歯列撮影対象物ＯＢ１のＸ線ＣＴ撮影は、被写体Ｍ１がＸ線ＣＴ撮影装置１における所定位置についた状態において（図１参照）、旋回アーム３０が右側臼歯Ｔ３側にＸ線発生部１０、左側臼歯Ｔ２側にＸ線検出部２０となる初期位置（第１旋回位置）から、図９に示すように、旋回軸３１を旋回中心Ｓｃとして１８０度以上旋回して撮影する（Ｘ線規制ステップｓ１３０）。
【０１１８】
なお、１８０度の旋回角度のみの旋回でもＣＴ撮影はできるが、ＣＴ撮影領域のいずれの箇所についても１８０度以上分の投影データを得ることが好ましいため、Ｘ線コーンビームＢＸの旋回軸３１の軸方向から見た広がり角分を１８０度に加えた旋回角度でＣＴ撮影することがさらに好適である。また、良好な画像を生成するために、３６０度分の旋回角度を旋回することがさらに好適である。しかしながら、良好な画像を得つつＣＴ撮影時間とＸ線被曝量の増大を抑えるためには、３６０度分の旋回でＣＴ撮影を終えることがより好ましい。
【０１１９】
なお、上述の１８０度の旋回角度、Ｘ線コーンビームＢＸの旋回軸３１の軸方向から見た広がり角分を１８０度に加えた旋回角度、あるいは３６０度分の旋回角度は、画像再構成上、実質的な差が生じない程度の多少の角度の増減を含む範囲を想定している。
【０１２０】
詳しくは、Ｘ線ＣＴ撮影装置１は、旋回軸３１を旋回中心Ｓｃとして回転させることでＸ線コーンビームＢＸを旋回させている間、予め定められた回数分、Ｘ線検出部２０にて投影データを収集する。具体的には、本体制御部６０が旋回用モータ３７を監視し、旋回軸３１周りに旋回する旋回アーム３０が所定の角度分回転する毎に、Ｘ線検出器２１でのＸ線の検出データを投影データとして収集する。
【０１２１】
なお、Ｘ線発生部１０によるＸ線コーンビームＢＸの照射は、旋回アーム３０が旋回する間、Ｘ線コーンビームＢＸを被写体に対して常時照射するように構成してもよいし、Ｘ線検出部２０がＸ線を検出するタイミングに合わせて、Ｘ線コーンビームＢＸを間欠的に照射してもよい。後者の場合、被写体Ｍ１に対して、Ｘ線が間欠的に照射されることとなるため、被写体のＸ線被曝量を低減することができる。
【０１２２】
収集された投影データは、逐次情報処理装置８に転送され、例えば記憶部８０２に記憶される。そして収集された投影データは、演算処理部８０１ｂにおいて加工され、三次元データに再構成される。演算処理部８０１ｂにおける再構成の演算処理は、所定の前処理、フィルタ処理、逆投影処理等で構成される。これらの演算処理については、周知技術を含む各種演算処理技術を適用することが可能である。
【０１２３】
なお、図９は、初期位置（第１旋回位置）となる状態から第５旋回位置までの旋回アーム３０の旋回において、Ｘ線発生器１０ａ、横方向遮蔽板１５、Ｘ線検出器２１の軌跡を、第１旋回位置において実線で図示し、第２旋回位置以降において点線で図示している。図１０（ａ）は旋回アーム３０が初期位置（第１旋回位置）となる状態の平面概略図を示し、図１０（ｂ）は旋回アーム３０が第２旋回位置となる状態の平面概略図を示している。同様に、図１１（ａ）は第３旋回位置、図１１（ｂ）は第４旋回位置、図１２（ａ）は第５旋回位置、図１１（ｂ）は初期位置（第１旋回位置）乃至第５旋回位置までの各状態を合成した状態の平面概略図を示している。
【０１２４】
図９乃至図１２において図示する旋回位置は、Ｘ線ＣＴ撮影の状況について説明を容易にするために所定角度ごとに図示しているにすぎず、ＣＴ撮影中、旋回は停まることなく連続して行われる。なお、図１２（ａ）に示すように、上述したように初期位置（第１旋回位置）から１８０度旋回した位置である第５旋回位置は、初期位置のＸ線発生部１０に対する右側歯列撮影対象物ＯＢ１を中心とした対称位置となる。
【０１２５】
図９乃至図１２に示すように、初期位置から旋回中心Ｓｃの回りを旋回する旋回アーム３０において、Ｘ線発生部１０からｙ軸方向に沿って照射するＸ線コーンビームＢＸの水平方向基準照射中心線ＢＣＬ１は旋回中心Ｓｃを通り、Ｘ線検出部２０に向かう。しかし、右側歯列撮影対象物ＯＢ１を含む長円柱状の長円状ＣＴ撮影領域ＣＡａは、旋回中心Ｓｃに対して＋ｘ側に偏心しているため、Ｘ線発生部１０から照射するＸ線コーンビームＢＸの水平方向における照射方向をビーム成形機構１３で調整する。
【０１２６】
すなわち、図９に示した長円状のＣＴ撮影領域ＣＡａのＣＴ撮影をする場合、旋回アーム３０の旋回位置が変化していくことによりＸ線発生部１０側から見た長円状のＣＴ撮影領域ＣＡａの横方向の端部の旋回中心Ｓｃに対する偏心量が変化する。この偏心量の変化に合わせてＸ線コーンビームＢＸの水平方向における照射方向をビーム成形機構１３で調整する。
【０１２７】
また、右側歯列撮影対象物ＯＢ１を含む長円柱状の長円状ＣＴ撮影領域ＣＡａの横方向の幅は、横方向の広がりを規制しないＸ線コーンビームＢＸに対して狭いため、Ｘ線コーンビームＢＸの横方向の広がりを長円柱状の長円状ＣＴ撮影領域ＣＡａの幅に合わせて狭く調整する。
【０１２８】
具体的には、横方向遮蔽板１５（１５ａ，１５ｂ）の出射口１２に対する横方向位置を遮蔽板横方向移動機構１６ｂにより、旋回角度に応じてそれぞれ調整し、Ｘ線コーンビームＢＸの横方向の広がりを長円状ＣＴ撮影領域ＣＡａの幅に合わせて狭く調整するとともに、出射口１２に対して開口１７をＸ線発生部１０からＸ線検出部２０に向かって−ｘ側に偏心させて、Ｘ線コーンビームＢＸの照射方向を長円状ＣＴ撮影領域ＣＡａに合わせて調整する。  
したがって、図１０乃至図１２において斜線で示す範囲のＸ線被曝量を低減することができる。
【０１２９】
より詳しくは、図１０（ａ）に示すように、長円状ＣＴ撮影領域ＣＡａの長手方向に対して略直交する方向にＸ線コーンビームＢＸを照射する初期位置（第１旋回位置）では、左側横方向遮蔽板１５ａをわずかに−ｘ側に変位させ、右側横方向遮蔽板１５ｂを大きく＋ｘ側に変位させて、図６（ａ）に示す大照射野用開口１７ａに比べておよそ半分程度の幅の開口１７を形成する。その結果、Ｘ線コーンビームＢＸの−ｘ側の境界ラインが水平方向基準照射中心線ＢＣＬ１に一致する程度に、Ｘ線コーンビームＢＸの照射方向を＋ｘ側に偏心させて、長円状ＣＴ撮影領域ＣＡａの長手方向の略両端部を含むＸ線コーンビームＢＸを照射する。
【０１３０】
したがって、図２６や図２７に示すような、従来のＸ線ＣＴ撮影において歯列弓領域Ｘ全体を含む円柱状のＣＴ撮影領域ＣＡｏを撮影する場合と比較して、図１０（ａ）において斜線で示す長円状ＣＴ撮影領域ＣＡａに対して必要のない範囲おけるＸ線被曝量を低減することができる。
【０１３１】
これに対し、図１０（ｂ）に示す第２旋回位置では、Ｘ線コーンビームＢＸの照射方向が、長円状ＣＴ撮影領域ＣＡａの長手方向に対して略同方向となるため、左側横方向遮蔽板１５ａをさらにわずかに−ｘ側に変位させるとともに、右側横方向遮蔽板１５ｂをさらに大きく＋ｘ側に変位させて、図１０（ａ）に示す初期位置（第１旋回位置）よりもおよそ半分程度の幅の開口１７を形成するとともに、Ｘ線コーンビームＢＸの照射方向を水平方向基準照射中心線ＢＣＬ１よりもさらに＋ｘ側に偏心させて、長手方向に直交する長円状ＣＴ撮影領域ＣＡａの幅方向を含むＸ線コーンビームＢＸを照射する。  
したがって、初期位置（第１旋回位置）よりもさらに長円状ＣＴ撮影領域ＣＡａに対して必要のない範囲おけるＸ線被曝量を低減することができる。
【０１３２】
図１１（ａ）に示す第３旋回位置では、Ｘ線コーンビームＢＸの照射方向と長円状ＣＴ撮影領域ＣＡａの長手方向とが交差するため、右側横方向遮蔽板１５ｂを初期値での位置に戻して、図１０（ａ）に示す初期位置（第１旋回位置）に対して２／３倍程度の幅の開口１７を形成するとともに、第２旋回位置での照射方向から−ｘ側に戻し、その結果、初期位置（第１旋回位置）と同様に、Ｘ線コーンビームＢＸの−ｘ側の境界ラインが水平方向基準照射中心線ＢＣＬ１に一致する程度に、Ｘ線コーンビームＢＸの照射方向を＋ｘ側に偏心させて、長手方向が照射方向に対して交差する方向である長円状ＣＴ撮影領域ＣＡａの略両端を含むＸ線コーンビームＢＸを照射する。
【０１３３】
したがって、第２旋回位置と比べて必要のない範囲おけるＸ線被曝量の低減量は減少するものの、初期位置（第１旋回位置）よりもさらに長円状ＣＴ撮影領域ＣＡａに対して必要のない範囲おけるＸ線被曝量を低減することができる。
【０１３４】
図１１（ｂ）に示す第４旋回位置では、Ｘ線コーンビームＢＸの照射方向と長円状ＣＴ撮影領域ＣＡａの長手方向との交差角度が第３旋回位置より大きくなるため、左側横方向遮蔽板１５ａ及び右側横方向遮蔽板１５ｂを−ｘ側に変位し、図１０（ａ）に示す初期位置（第１旋回位置）と同程度の幅の開口１７を形成するとともに、第２旋回位置での照射方向から−ｘ側に戻して、幅方向中央付近を照射方向とし、長円状ＣＴ撮影領域ＣＡａの略両端を含むＸ線コーンビームＢＸを照射する。  
したがって、長円状ＣＴ撮影領域ＣＡａに対して必要のない範囲おけるＸ線被曝量を初期位置（第１旋回位置）と同程度低減することができる。
【０１３５】
図１２（ａ）に示す第５旋回位置は、初期位置に対して旋回中心Ｓｃを通る直線の線対称位置であるため、図１０（ａ）に示す初期位置（第１旋回位置）と同程度の幅の開口１７を形成するとともに、第２旋回位置での照射方向から−ｘ側に偏心して、幅方向中央付近に対して−ｘ側に偏心した照射方向とし、長円状ＣＴ撮影領域ＣＡａの略両端を含むＸ線コーンビームＢＸを照射する。したがって、長円状ＣＴ撮影領域ＣＡａに対して必要のない範囲おけるＸ線被曝量を初期位置（第１旋回位置）と同程度低減することができる。
【０１３６】
上述のように、Ｘ線発生部１０からＸ線検出部２０に向かって照射するＸ線コーンビームＢＸの水平方向基準照射中心線ＢＣＬ１に対する長円状ＣＴ撮影領域ＣＡａの位置は旋回アーム３０の旋回位置に応じて変化するため、旋回アーム３０の旋回位置に応じて、横方向遮蔽板１５（１５ａ，１５ｂ）の出射口１２に対する横方向位置を遮蔽板横方向移動機構１６ｂにより、旋回角度に応じてそれぞれ調整し、出射口１２に対して開口１７をＸ線発生部１０からＸ線検出部２０に向かって−ｘ側に偏心させて、Ｘ線コーンビームＢＸの照射方向を長円状ＣＴ撮影領域ＣＡａに合わせて調整する。
【０１３７】
また、Ｘ線コーンビームＢＸの縦方向の広がりもＣＴ撮影対象に合わせて規制するように構成してもよい。例えば、ＣＴ撮影対象が上顎の歯牙である場合は、上顎部分のみがＸ線コーンビームＢＸの照射対象となるように規制する。
【０１３８】
なお、図１３はＸ線発生器１０ａ、Ｘ線コーンビームＢＸ、Ｘ線発生部２０（具体的にはＸ線検出器２１）を−ｘ方向から＋ｘ方向に向かって見た図であり、ＣＴ撮影対象が上顎の歯牙など上方に在る場合の様子を示している。
【０１３９】
さらにまた、右側歯列撮影対象物ＯＢ１を含む長円柱状の長円状ＣＴ撮影領域ＣＡａは、Ｘ線発生部１０からＸ線検出部２０に向かって水平に照射するＸ線コーンビームＢＸの鉛直方向基準照射中心線ＢＣＬ２に対して縦方向に偏心しているため、Ｘ線発生部１０から照射するＸ線コーンビームＢＸの鉛直方向における照射方向をビーム成形機構１３で調整する。
【０１４０】
なお、図示の例ではＸ線コーンビームＢＸを水平に照射し、鉛直方向基準照射中心線ＢＣＬ２はＸ線検出器２１の検出面２１に対して垂直入射しているが、後述のパノラマ撮影を行うために適した、Ｘ線発生器１０ａよりもＸ線検出器２１を高く配置する構成である場合においてはＸ線コーンビームＢＸを仰角に照射することとなる。
【０１４１】
また、右側歯列撮影対象物ＯＢ１を含む長円柱状の長円状ＣＴ撮影領域ＣＡａの縦方向の高さは、縦方向の広がりを規制しないＸ線コーンビームＢＸに対して狭いため、Ｘ線コーンビームＢＸの縦方向の広がりを長円柱状の長円状ＣＴ撮影領域ＣＡａの幅に合わせて狭く調整する。
【０１４２】
詳しくは、縦方向遮蔽板１４（１４ａ，１４ｂ）の出射口１２に対する縦方向位置を遮蔽板縦方向移動機構１６ａでそれぞれ調整し、Ｘ線コーンビームＢＸの縦方向の広がりを長円状ＣＴ撮影領域ＣＡａの高さに合わせて狭く調整するとともに、出射口１２に対して開口１７をＸ線発生部１０からＸ線検出部２０に向かって上側（＋ｚ側）に偏心させて、Ｘ線コーンビームＢＸの照射方向を長円状ＣＴ撮影領域ＣＡａに合わせて調整する。
【０１４３】
また、図１３（ｂ）に示すように、Ｘ線発生部１０からＸ線検出部２０に向かって照射するＸ線コーンビームＢＸの鉛直方向基準照射中心線ＢＣＬ２に対する長円状ＣＴ撮影領域ＣＡａの位置は旋回アーム３０の旋回位置に応じて変化する。したがって、旋回アーム３０の旋回位置に応じて、縦方向遮蔽板１４（１４ａ，１４ｂ）の出射口１２に対する縦方向位置を遮蔽板縦方向移動機構１６ａでそれぞれ調整し、出射口１２に対して開口１７をＸ線発生部１０からＸ線検出部２０に向かって上側（＋ｚ側）に偏心させて、Ｘ線コーンビームＢＸの照射方向を長円状ＣＴ撮影領域ＣＡａに合わせて調整する。
【０１４４】
図示の例では図１３（ｂ）に示す長円状ＣＴ撮影領域ＣＡａの図示の右上角の位置が図１３（ａ）に示す位置よりも旋回中心Ｓｃに近いため、Ｘ線コーンビームＢＸの上端の高さもその分下側（−ｚ側）に向けて下がっている。同様の調整を長円状ＣＴ撮影領域ＣＡａの図示の左下角の位置とＸ線コーンビームＢＸの下端の高さについても行う。
【０１４５】
このように、水平方向において旋回中心Ｓｃ及び水平方向基準照射中心線ＢＣＬ１に対して偏心するとともに、横方向の広がりを規制しないＸ線コーンビームＢＸと比較して狭い長円状ＣＴ撮影領域ＣＡａに対して、横方向遮蔽板１５（１５ａ，１５ｂ）の出射口１２に対する横方向位置を旋回アーム３０の旋回位置に応じて遮蔽板横方向移動機構１６ｂでそれぞれ調整し、Ｘ線コーンビームＢＸの横方向の広がりを長円状ＣＴ撮影領域ＣＡａの幅に合わせて狭く調整するとともに、出射口１２に対して開口１７をｘ方向に変位させて、Ｘ線コーンビームＢＸの照射方向を長円状ＣＴ撮影領域ＣＡａに合わせて調整することにより、水平方向において、関心領域である右側歯列撮影対象物ＯＢ１に対して適切にＸ線コーンビームを照射し、無駄なＸ線被曝量を低減するとともに、確実に関心領域をＸ線ＣＴ撮影することができる。  
なお、ビーム成形機構１３によるＸ線コーンビームＢＸの広がり制御は撮影中に行われる。
【０１４６】
また、鉛直方向において、鉛直方向基準照射中心線ＢＣＬ２に対して偏心するとともに、縦方向の広がりを規制しないＸ線コーンビームＢＸに対して高さの低い長円状ＣＴ撮影領域ＣＡａに対して、縦方向遮蔽板１４（１４ａ，１４ｂ）の出射口１２に対する縦方向位置を旋回アーム３０の旋回位置に応じて遮蔽板縦方向移動機構１６ａでそれぞれ調整し、Ｘ線コーンビームＢＸの縦方向の広がりを長円状ＣＴ撮影領域ＣＡａの高さに合わせて狭く調整するとともに、出射口１２に対して開口１７をｚ方向に変位させて、Ｘ線コーンビームＢＸの照射方向を長円状ＣＴ撮影領域ＣＡａに合わせて調整することにより、鉛直方向において、関心領域である右側歯列撮影対象物ＯＢ１に対して適切にＸ線コーンビームを照射し、無駄なＸ線被曝量を低減するとともに、確実に関心領域をＸ線ＣＴ撮影することができる。
【０１４７】
なお、上述の説明では、長円状ＣＴ撮影領域ＣＡａの中心付近をＣＴ撮影領域設定画面２００の画像表示部２１０における指定カーソル２１２で指定するとともに、選択範囲設定部２３０で長円状ＣＴ撮影領域ＣＡａに含まれる本数を指定し、長円状ＣＴ撮影領域ＣＡａを設定したが、この指定方法に限定されない。以下において、別のＣＴ撮影領域設定画面について、図１４乃至図１７とともに説明する。
【０１４８】
図１４に示すＣＴ撮影領域設定画面２００Ａは、図８に示すＣＴ撮影領域設定画面２００と同様に、画像表示部２１０Ａ、上下顎選択部２２０、及び条件設定部２４０を備えているが、ＣＴ撮影領域設定画面２００における選択範囲設定部２３０を備えていない。ＣＴ撮影領域設定画面２００Ａにおける上下顎選択部２２０及び条件設定部２４０については、ＣＴ撮影領域設定画面２００と同じであるため、説明を省略する。
【０１４９】
画像表示部２１０Ａは、図８に示すＣＴ撮影領域設定画面２００の画像表示部２１０と同様に、歯列弓画像２１１と指定カーソル（ポインタ）２１２とを表示している。なお、ＣＴ撮影領域設定画面２００では、ＣＴ撮影領域ライン２１３を設定するために、長円状ＣＴ撮影領域ＣＡａの長手方向の中心付近を指定カーソル２１２で指定したが、ＣＴ撮影領域設定画面２００Ａでは、長円状ＣＴ撮影領域ＣＡａの長手方向の両端部である始点と終点とを指定カーソル２１２で指定する構成である。なお、歯列弓画像２１１は、体軸方向から見た顎骨の画像である。
【０１５０】
なお、図１４では、画像表示部２１０Ａで２つの指定カーソル２１２を図示しているが、実際には、ひとつの指定カーソル２１２で始点となる歯を指定した後、指定カーソル２１２を移動させて終点となる歯を指定する構成である。しかしながら、図１４で図示するように、始点の歯を指定した指定カーソル２１２を固定し、別の指定カーソル２１２を出現させて、別の指定カーソル２１２で終点の歯を指定してもよい。
【０１５１】
また、指定を誤った場合や指定を変更したい場合を考慮して、始点、終点の位置変更ができるように構成してもよい。  
さらに、ＣＴ撮影領域ＣＡａの指定を、上述のように始点の歯、終点の歯という歯単位で行ってもよいが、デフォルトの範囲でＣＴ撮影領域ライン２１３を示しておいて、その長手方向の両端を指定カーソル２１２でポイントしてホールドし、ドラッグ操作で動かしてＣＴ撮影領域ライン２１３を変形させ、覆う範囲が変えられるように構成してもよい。
【０１５２】
このＣＴ撮影領域設定画面２００Ａにおける画像表示部２１０Ａで、指定カーソル２１２を用いて始点と終点の歯を指定した指定操作情報は情報処理装置８に送信され、指定情報を受け付けた情報処理装置８は、始点となる歯と終点となる歯の組み合わせに応じて予め設定された長円状のＣＴ撮影領域ライン２１３に関する情報を操作表示部６１に送信する。なお、歯列弓領域Ｘでは全部で１６箇所に歯が並ぶため（対象が上顎の歯のみまたは下顎の歯のみである場合は１箇所に１本であり、対象が上下顎に及ぶ場合は１箇所に上下の歯合計２本）、１２０通りの長円状のＣＴ撮影領域ライン２１３を予め設定しておけばよい。
【０１５３】
また、１箇所の歯のみをＣＴ撮影できるように構成してもよく、この場合の図示しない１６通りのＣＴ撮影領域ラインを加えると１３６通りの長円状のＣＴ撮影領域ライン２１３を準備することができる。
【０１５４】
なお、上述の１箇所の歯のみをＣＴ撮影する１６通りのＣＴ撮影領域ラインは、長円状のＣＴ撮影領域のバリュエーションとして、長手方向と短手方向の長さの差がほとんどない特殊な長円状のＣＴ撮影領域である。
【０１５５】
また、上顎の歯、下顎の歯、及び上下顎の歯のそれぞれについて、１２０通りのパターンをそれぞれ準備してもよく、上顎の歯、下顎の歯、及び上下顎の歯のうち２部位について１２０通り、残りの１部位について別の１２０通りのパターンを準備してもよい。
【０１５６】
さらには、インプラントの植立対象となる頻度が高い箇所のみに対象を絞るために智歯を除いた設定としてもよい。  
また、歯の本数に関係なく、単にＣＴ撮影領域ライン２１３で囲まれた範囲がそのまま長円状ＣＴ撮影領域ＣＡａとなるように構成してもよい。
【０１５７】
情報処理装置８よりＣＴ撮影領域ライン２１３に関する情報を受信した操作表示部６１は、ＣＴ撮影領域設定画面２００の画像表示部２１０において、歯列弓画像２１１と、受信した情報に基づくＣＴ撮影領域ライン２１３とを重畳表示する。重畳表示後の処理フローはＣＴ撮影領域設定画面２００における処理フローと同様であるため、説明を省略する。
【０１５８】
また別の設定画面である図１５に示すＣＴ撮影領域設定画面２００Ｂは、図１４に示すＣＴ撮影領域設定画面２００Ａと同様に、画像表示部２１０Ｂ、上下顎選択部２２０、及び条件設定部２４０で構成している。ＣＴ撮影領域設定画面２００Ｂにおける上下顎選択部２２０及び条件設定部２４０については、ＣＴ撮影領域設定画面２００及びＣＴ撮影領域設定画面２００Ａと同じであるため、説明を省略する。
【０１５９】
画像表示部２１０Ｂは、ＣＴ撮影領域設定画面２００の画像表示部２１０と同様に、歯列弓画像２１１と指定カーソル２１２とを表示している。さらに、ＣＴ撮影領域設定画面２００Ｂは、画像表示部２１０Ｂにおける歯列弓画像２１１を複数に分割する分割エリア２１４を重畳表示し、歯列弓画像２１１を分割する分割エリア２１４を指定カーソル（ポインタ）２１２で選択指定する構成である。
【０１６０】
このＣＴ撮影領域設定画面２００Ｂにおける画像表示部２１０Ｂで、関心領域である右側歯列撮影対象物ＯＢ１が含まれる分割エリア２１４を指定カーソル２１２で選択指定した指定操作情報は情報処理装置８に送信され、指定情報を受け付けた情報処理装置８は、選択指定された分割エリア２１４に対応して予め設定された長円状ＣＴ撮影領域ＣＡａをＸ線ＣＴ撮影装置１に送信し、Ｘ線ＣＴ撮影を実行する。
【０１６１】
なお、図１５に示すＣＴ撮影領域設定画面２００Ｂでは、歯列弓画像２１１に対して、前歯Ｔ１を中心とする部分、左側臼歯Ｔ２を中心とする部分、右側臼歯Ｔ３を中心とする部分、及び左右各顎関節部分の全部で５つの分割エリア２１４を設定しているが、分割パターンはこれに限定されず、歯列弓画像２１１の中心となる正中線に対して線対称であれば、様々な分割パターンを設定することができる。また、様々な分割パターンを予め設定しておくとともに、分割パターンを切り替える切換えボタンをＣＴ撮影領域設定画面２００Ｂに設け、所望の分割パターンを画像表示部２１０Ｂに表示させてから分割エリア２１４を選択指定してもよい。
【０１６２】
また、分割エリアのラインを指定カーソル２１２でポイントしてホールドし、ドラッグ操作で動かして変形できる構成とし、変形後のラインの形に最も適合する分割パターンが呼び出されるように構成してもよい。  
なお、分割エリア２１４の選択指定後のＸ線ＣＴ撮影の処理フローは上述の説明の通りであるため、説明を省略する。
【０１６３】
さらに、別の設定画面である図１６に示すＣＴ撮影領域設定画面２００Ｃは、図１４に示すＣＴ撮影領域設定画面２００Ａと同様に、画像表示部２１０Ｃ、上下顎選択部２２０、及び条件設定部２４０で構成している。ＣＴ撮影領域設定画面２００Ｃにおける上下顎選択部２２０及び条件設定部２４０については、ＣＴ撮影領域設定画面２００等と同じであるため、説明を省略する。
【０１６４】
画像表示部２１０Ｃは、歯列弓画像２１１を表示している。なお、ＣＴ撮影領域設定画面２００では、ＣＴ撮影領域ライン２１３を設定するために、ＣＴ撮影領域ＣＡの長手方向の中心付近を指定カーソル２１２で指定したが、ＣＴ撮影領域設定画面２００Ｃでは、タッチペン２５０で関心領域である右側歯列撮影対象物ＯＢ１を長円状に囲うように手書きした手書きＣＴ撮影領域ライン２１３Ｃで長円状ＣＴ撮影領域ＣＡａを指定する構成である。
【０１６５】
このＣＴ撮影領域設定画面２００Ｃにおける画像表示部２１０Ｃで、タッチペン２５０で手書きした手書きＣＴ撮影領域ライン２１３Ｃによる指定操作情報は情報処理装置８に送信され、指定情報を受け付けた情報処理装置８は、手書きＣＴ撮影領域ライン２１３Ｃに近似する予め設定された長円状の長円状ＣＴ撮影領域ＣＡａをＸ線ＣＴ撮影装置１に送信し、Ｘ線ＣＴ撮影を実行する。なお、ＣＴ撮影領域ＣＡは、径外側向きに凸状の曲線で構成する閉鎖領域である必要があるため、手書きＣＴ撮影領域ライン２１３Ｃに径内側に向かう凹状部分があったとしても、予め登録されたＣＴ撮影領域ライン２１３では、径外側向きに凸状の曲線で構成されたＣＴ撮影領域ライン２１３のうち近似するラインをＣＴ撮影領域ＣＡとする。あるいは、手書きＣＴ撮影領域ライン２１３Ｃにおける径内側に向かう凹状部分を凸状に補正してＣＴ撮影領域ＣＡとしてもよい。また、Ｘ線ＣＴ撮影の処理フローは上述の説明の通りであるため、説明を省略する。
【０１６６】
さらにまた、別の設定画面である図１７に示すＣＴ撮影領域設定画面２００Ｄは、図１４に示すＣＴ撮影領域設定画面２００Ａと同様に、画像表示部２１０Ｄ、上下顎選択部２２０、及び条件設定部２４０で構成している。ＣＴ撮影領域設定画面２００Ｄにおける上下顎選択部２２０及び条件設定部２４０については、ＣＴ撮影領域設定画面２００等と同じであるため、説明を省略する。
【０１６７】
画像表示部２１０Ｄは、歯列弓画像２１１の替わりに、被写体である患者の歯列弓領域Ｘを予めパノラマＸ線撮影したパノラマ画像２１１Ｄを表示している。この画像表示部２１０Ｄでは、上述のいずれかの方法で関心領域である右側歯列撮影対象物ＯＢ１をＣＴ撮影領域ＣＡとして指定する構成である。図示の例では、ＣＴ撮影領域ＣＡとして長円状ＣＴ撮影領域ＣＡａが指定され、長円状ＣＴ撮影領域ＣＡａは２１３で示す曲線で囲まれるように表示される。
【０１６８】
このＣＴ撮影領域設定画面２００Ｄにおける画像表示部２１０Ｄで、被写体である患者の歯列弓領域Ｘを予めパノラマ撮影したパノラマ画像２１１Ｄに対する指定操作情報は情報処理装置８に送信され、指定情報を受け付けた情報処理装置８は、予め設定された長円状のＣＴ撮影領域ライン２１３に関する情報を操作表示部６１に送信する。
【０１６９】
情報処理装置８よりＣＴ撮影領域ライン２１３に関する情報を受信した操作表示部６１は、ＣＴ撮影領域設定画面２００Ｄの画像表示部２１０において、パノラマ画像２１１Ｄと、受信した情報に基づくＣＴ撮影領域ライン２１３とを重畳表示する。重畳表示後の処理フローはＣＴ撮影領域設定画面２００における処理フローと同様であるため、説明を省略する。
【０１７０】
なお、被写体固定部４２１に固定された被写体Ｍ１のパノラマ断層位置の三次元位置情報は被写体固定部４２１と設定されているパノラマ断層位置の位置関係から演算処理部８０１ｂで把握できるため、パノラマ画像２１１Ｄに対する位置指定により指定された位置の三次元座標を演算により算出することができる。
【０１７１】
また仮に、パノラマ画像２１１Ｄが別のＸ線撮影装置で撮影したパノラマ画像であった場合であっても、パノラマ撮影した際のパノラマ断層の位置情報さえあれば指定された位置を座標演算により算出することができる。
【０１７２】
このように、ＣＴ撮影領域設定画面２００，２００Ａ，２００Ｂ，２００Ｃ，２００Ｄでは、様々な方法で、関心領域である右側歯列撮影対象物ＯＢ１に対して適切な長円状の長円状ＣＴ撮影領域ＣＡａを設定することができる。しかし、診療条件や症例によっては、図９に示すような歯列弓領域Ｘの右側半分を占める右側歯列撮影対象物ＯＢ１でなくとも、図１８に示すような歯列弓領域Ｘにおける複数本の前歯Ｔ１を撮影対象物ＯＢとする楕円状の楕円状ＣＴ撮影領域ＣＡｂを設定してもよい。
【０１７３】
この場合、図１８に示すように、楕円状ＣＴ撮影領域ＣＡｂをＸ線ＣＴ撮影する場合と比べて、幅方向にさらに狭いＸ線コーンビームＢＸを、旋回角度に応じて横方向遮蔽板１５で規制して照射して撮影する。このように幅の狭いＸ線コーンビームＢＸであっても、幅方向にそれぞれ独立して変位する左側横方向遮蔽板１５ａ、右側横方向遮蔽板１５ｂにより、Ｘ線コーンビームＢＸの照射方向を楕円状ＣＴ撮影領域ＣＡｂに合わせて変更し、撮影することができる。したがって、Ｘ線を照射する必要のない箇所へのＸ線照射量を低減することができる。
【０１７４】
なお、上述の説明では、長円状ＣＴ撮影領域ＣＡａに比べて小範囲である楕円状ＣＴ撮影領域ＣＡｂについて説明したが、症状や診療方法等に応じては、長円状ＣＴ撮影領域ＣＡａや楕円状ＣＴ撮影領域ＣＡｂのみならず、例えば、図１９に示すような、様々な形状のＣＴ撮影領域ＣＡを設定することができる。
【０１７５】
例えば、図１９（ａ）に示す長円状ＣＴ撮影領域ＣＡａ１は、図９に示す長円状ＣＴ撮影領域ＣＡａに比べて歯列弓領域Ｘの曲線における長手方向の長さがさらに長く、顎骨Ｋにおける平面視で右の下顎頭がある位置Ｋｈまでを一体的に囲む長円状で構成している。
【０１７６】
また、図１９（ｂ）に示す長円状ＣＴ撮影領域ＣＡａ２は、長円状ＣＴ撮影領域ＣＡａ１に比べて、反対側の前歯Ｔ１及び左側臼歯Ｔ２の一部までを一体的に囲む長円状で構成している。
【０１７７】
図１９（ｃ）に示す略三角形状ＣＴ撮影領域ＣＡｃは、平面視で左右の下顎頭がある位置Ｋｈを含む歯列弓領域Ｘの全体を囲み、前歯Ｔ１側の角部が前歯Ｔ１の並びに沿った略三角形状である。詳しくは、略三角形状ＣＴ撮影領域ＣＡｃは、角部を弧状とするとともに、角部と角部を結ぶ辺部分が径外側に凸状となる弧状であり、前歯Ｔ１の並びに沿った角部を頂点とした略三角形状であり、平面視で左右の下顎頭がある位置Ｋｈ同士を結ぶ底辺部分の弧状は斜辺部分の弧状に比べて大きな曲率の曲線で構成した、いわばおむすび形状に形成している。なお、この略三角形状は、ルーローの三角形の３つの頂点の部分の角を外側に凸な円弧でつないだ略ルーローの三角形状と換言することができる。
【０１７８】
このように、このような構成の略三角形状ＣＴ撮影領域ＣＡｃは、図２６や図２７に示すような、従来のＸ線ＣＴ撮影において歯列弓領域Ｘ全体を含む円柱状のＣＴ撮影領域ＣＡｏに比べて、ＣＴ撮影領域が関心領域の形状に近づくため、Ｘ線を照射する必要のない箇所への照射量を低減することができる。
【０１７９】
また、図１９（ｄ）に示す略三角形状ＣＴ撮影領域ＣＡｃ１は、略三角形状ＣＴ撮影領域ＣＡｃの相似形であり、歯列弓領域Ｘのうちの歯牙領域の部分のみを囲み、前歯Ｔ１側の角部が前歯Ｔ１の並びに沿った略三角形状である。
【０１８０】
これに対し、図１９（ｅ）に示す略三角形状ＣＴ撮影領域ＣＡｃ２は、略三角形状ＣＴ撮影領域ＣＡｃ，ＣＡｃ１とは異なり、前歯Ｔ１の並びに沿った曲線が底辺側となる略三角形状、換言すると略半円形状であり、略三角形状ＣＴ撮影領域ＣＡｃ，ＣＡｃ１に比べて、斜辺と角部とが略連続する曲線で構成した幅方向に扁平な略三角形状である。
【０１８１】
図１９（ｃ）に示す略三角形状ＣＴ撮影領域ＣＡｃのＣＴ撮影をする場合、図９に示した長円状のＣＴ撮影領域のＣＴ撮影と同様、旋回アーム３０の旋回位置が変化していくことによりＸ線発生部１０側から見た略三角形状ＣＴ撮影領域ＣＡｃの横方向の端部の旋回中心Ｓｃに対する偏心量が変化する。この偏心量の変化に合わせてＸ線コーンビームＢＸの水平方向における照射方向をビーム成形機構１３で調整する。
【０１８２】
図１９（ｃ）に示す略三角形状ＣＴ撮影領域ＣＡｃのＣＴ撮影において、旋回アーム３０が図９に示した長円状のＣＴ撮影領域のＣＴ撮影における第３旋回位置に相当する旋回位置をとるときに、略三角形状ＣＴ撮影領域ＣＡｃの図示の状態における底辺の部分にＸ線発生部１０が対面する。（以下、図９に示した第１旋回位置〜第５旋回位置に相当する位置を略三角形状ＣＴ撮影領域ＣＡｃのＣＴ撮影における第１旋回位置〜第５旋回位置とする。）このときＸ線コーンビームＢＸのセンタービームは平面視で略三角形状ＣＴ撮影領域ＣＡｃの底辺の中央部分の法線に沿って入射する。
【０１８３】
この位置関係のため、Ｘ線発生部１０から見た略三角形状ＣＴ撮影領域ＣＡｃの横幅は他の旋回位置である第１旋回位置、第２旋回位置、第４旋回位置、第５旋回位置に比べて最も大きくなる。この広がりに合わせて横方向遮蔽板１５（１５ａ，１５ｂ）の出射口１２に対する開度（横方向における互いに対する間隔）を最大にする必要がある。
【０１８４】
さらに、長円状ＣＴ撮影領域ＣＡａ、楕円状ＣＴ撮影領域ＣＡｂ、略三角形状ＣＴ撮影領域ＣＡｃ以外にも、図１９（ｆ）に示すように二つの等しい長さの平行線と二つの半円形からなる長円状の角丸長方形状のＣＴ撮影領域ＣＡや、図１９（ｇ）に示すような角部が弧状に面取りされた略四角形状のＣＴ撮影領域ＣＡであってもよく、さらには図示省略するが略卵形等のオーバル形状など様々な形状のＣＴ撮影領域ＣＡとすることができる。
【０１８５】
換言すると、図９、図１４の長円状ＣＴ撮影領域ＣＡａ、図１８の楕円状ＣＴ撮影領域ＣＡｂ、図１９（ａ），（ｂ）の長円状ＣＴ撮影領域ＣＡａ１，ＣＡａ２、図１９（ｆ），（ｇ）の長円状の角丸長方形状のＣＴ撮影領域ＣＡ、及び略卵形等のオーバル形状のＣＴ撮影領域ＣＡは、歯列弓領域Ｘに沿った長手方向を有する略長円形状のＸ線ＣＴ撮影領域として総括することができる。なお、オーバル形状には略卵形以外の略長円形状も含まれる。
【０１８６】
これまでに説明した長円状ＣＴ撮影領域ＣＡａ，ＣＡａ１，ＣＡａ２、楕円状ＣＴ撮影領域ＣＡｂ、略三角形状ＣＴ撮影領域ＣＡｃ，ＣＡｃ１，ＣＡｃ２、あるいは、例えばオーバル形状等の歯列弓領域Ｘの曲線に沿った部分を有するＣＴ撮影領域ＣＡは、上述したように、横方向遮蔽板１５（１５ａ，１５ｂ）の出射口１２に対する横方向位置を遮蔽板横方向移動機構１６ｂにより、旋回角度に応じてそれぞれ調整し、Ｘ線コーンビームＢＸの横方向の広がりをＣＴ撮影領域ＣＡの幅に合わせるとともに、出射口１２に対して開口１７をＸ線発生部１０からＸ線検出部２０に向かって横方向に変位させて、Ｘ線コーンビームＢＸの照射方向をＣＴ撮影領域ＣＡに合わせて調整することで実現する。
【０１８７】
なお、長円状ＣＴ撮影領域ＣＡａ，ＣＡａ１，ＣＡａ２、楕円状ＣＴ撮影領域ＣＡｂについては長手方向が歯列弓領域Ｘに沿うように設定されるが、さらに具体的には、長径の径方向が歯列弓領域Ｘの湾曲の曲線の接線方向と一致するように設定する。オーバル形状のＣＴ撮影領域ＣＡについても同様である。
【０１８８】
このようにして、関心領域の一例である右側歯列撮影対象物ＯＢ１の大きさ、範囲及び歯列弓領域Ｘにおける位置に対して、ＣＴ撮影領域ＣＡを歯列弓領域Ｘの曲線に沿った部分を有する長円状、楕円状、略三角形状あるいはオーバル形状等の様々な形状に設定することによって、無駄なＸ線被爆量を低減しながら、確実に関心領域である右側歯列撮影対象物ＯＢ１を確実に撮影することができるものの、例えば埋もれた智歯の領域で智歯が横倒しに近い状態になっていないかなどを観察する場合や、腫瘍の広がりの状況を診たい場合、あるいは歯列弓領域Ｘの長手部分のみならず、その舌側・頬側に広がる領域の観察も要する診断等の様々な症例や部位に応じて、図２０に示すように、例えば、２、３本の右側臼歯Ｔ３を局所的な局所的撮影対象物ＯＢ２として、ＣＴ撮影領域を真円形状の真円状ＣＴ撮影領域ＣＡｄとした方がよい場合がある。
【０１８９】
局所的撮影対象物ＯＢ２を囲む真円状ＣＴ撮影領域ＣＡｄをＸ線ＣＴ撮影するためには、図２０に示すように、横方向遮蔽板１５（１５ａ，１５ｂ）の出射口１２に対する横方向位置を遮蔽板横方向移動機構１６ｂにより、旋回角度に応じてそれぞれ調整し、Ｘ線コーンビームＢＸの横方向の広がりを真円状ＣＴ撮影領域ＣＡｄの幅に合わせてするとともに、出射口１２に対して開口１７をＸ線発生部１０からＸ線検出部２０に向かって横方向に偏心させて、Ｘ線コーンビームＢＸの照射方向を真円状ＣＴ撮影領域ＣＡｄに合わせて調整することで実現する。
【０１９０】
さらに、局所的撮影対象物ＯＢ２を囲む真円状ＣＴ撮影領域ＣＡｄを設定するためには、まず、ＣＴ撮影領域設定画面２００における条件設定部２４０のＭｏｄｅボタン２４４を押下し、図２１に示すような、真円状ＣＴ撮影領域ＣＡｄを設定するための局所的真円状ＣＴ撮影領域設定画面３００を表示し、局所的真円状ＣＴ撮影領域設定画面３００で真円状ＣＴ撮影領域ＣＡｄを設定する。
【０１９１】
局所的真円状ＣＴ撮影領域設定画面３００は、歯列弓画像２１１を表示する画像表示部３１０と、上下顎選択部３２０と、選択範囲設定部３３０と、条件設定部３４０とで構成している。  
上下顎選択部３２０と条件設定部３４０は、ＣＴ撮影領域設定画面２００における上下顎選択部２２０と条件設定部２４０と同様に、Ｓｅｔボタン３４１と、Ｒｅｓｅｔボタン３４２と、Ｓｔａｒｔボタン３４３と、Ｍｏｄｅボタン３４４と、Ｒｅｔｕｒｎボタン２４５とで構成しているため、詳細な説明を省略する。
【０１９２】
画像表示部３１０は、表示された歯列弓画像３１１に対して、設定する真円状ＣＴ撮影領域ＣＡｄにおける中心を指定する指定カーソル（ポインタ）３１２と、指定カーソル３１２で指定された中心に対し、後述する選択範囲設定部３３０で指定された半径に応じた真長円状の真円状ＣＴ撮影領域ライン３１３とを重畳表示している。
【０１９３】
選択範囲設定部３３０は、指定カーソル３１２で指定した中心に対する半径を入力するテキストボックス３３１を有しているが、直径を入力する構成であってもよい。
【０１９４】
まず、局所的撮影対象物ＯＢ２をＸ線ＣＴ撮影するためには、操作表示部６１に表示された局所的真円状ＣＴ撮影領域設定画面３００において、局所的撮影対象物ＯＢ２を含む真円状ＣＴ撮影領域ライン３１２を設定する。  
詳述すると、局所的撮影対象物ＯＢ２が上下額の一方、あるいは両方かに応じて、上下顎選択部３２０の各種ボタンで選択し、局所的真円状ＣＴ撮影領域設定画面３００の画像表示部３１０に表示された表示された歯列弓画像２１１に対して、指定カーソル３１２で真円状ＣＴ撮影領域ＣＡｄにおける円の中心を指定するとともに、選択範囲設定部３３０におけるテキストボックス３３１に半径の値を入力する。
【０１９５】
局所的真円状ＣＴ撮影領域設定画面３００で入力操作された、真円状ＣＴ撮影領域ＣＡｄにおける円の中心と、テキストボックス３３１に入力された半径値に基づく指定操作情報は情報処理装置８に送信され、指定情報を受け付けた情報処理装置８は真円状ＣＴ撮影領域ライン３１２に関する情報を操作表示部６１に送信する。情報処理装置８より真円状ＣＴ撮影領域ライン３１２に関する情報を受信した操作表示部６１は、局所的真円状ＣＴ撮影領域設定画面３００の画像表示部３１０において、歯列弓画像３１１と、受信した情報に基づく真円状ＣＴ撮影領域ライン３１２とを重畳表示する。
【０１９６】
局所的真円状ＣＴ撮影領域設定画面３００を確認した操作者（術者）によって、真円状ＣＴ撮影領域ライン３１２が歯列弓画像３１１に対して所望の位置及び範囲に設定されていることが確認でき、Ｓｅｔボタン３４１が押下されると、真円状ＣＴ撮影領域ライン３１２を設定真円状ＣＴ撮影領域ＣＡｄとして、情報処理装置８に送信し、さらに、Ｓｔａｒｔボタン３４３が押下されると、後述するように、Ｘ線ＣＴ撮影装置１による局所的撮影対象物ＯＢ２のＸ線ＣＴ撮影を開始する。
【０１９７】
なお、上述の説明では、真円状ＣＴ撮影領域ＣＡｄの大きさを示す半径値をテキストボックス３３１に数値入力したが、指定カーソル３１２で指定したポイントを中心とした真円状の真円状ＣＴ撮影領域ライン３１２を歯列弓画像２１１に重畳表示し、表示された真円状ＣＴ撮影領域ライン３１２の周上のポイントを指定カーソル３１２でホールドし、真円状ＣＴ撮影領域ライン３１２の大きさを調整してもよい。
【０１９８】
このようにして、例えば、２、３本の右側臼歯Ｔ３を局所的な局所的撮影対象物ＯＢ２として、ＣＴ撮影領域を真円形状の真円状ＣＴ撮影領域ＣＡｄを設定可能にしたことにより、関心領域である右側歯列撮影対象物ＯＢ１の大きさ、範囲及び歯列弓領域Ｘにおける位置に対して、ＣＴ撮影領域ＣＡを歯列弓領域Ｘの曲線に沿った部分を有する長円状、楕円状、略三角形状あるいはオーバル形状等の様々な形状に設定することで無駄なＸ線被爆量を低減しながら、確実に関心領域である右側歯列撮影対象物ＯＢ１を確実に撮影できることに加え、診断等の様々な症例や部位に応じた局所的撮影対象物ＯＢ２に対して、無駄なＸ線被爆量をより低減でき、利用可能性を向上することができる。
【０１９９】
なお、上述のＸ線ＣＴ撮影装置１では、図２５に示すように、特定の位置に固定で設定した旋回中心Ｓｃに旋回軸３１の軸心を置いてパノラマ撮影を行うこともできる。
【０２００】
具体的には、ビーム成形機構１３による規制範囲を変更して形成したパノラマ撮影用のＸ線細隙ビームＢＸＰの照射方向を、旋回角度に応じて横方向遮蔽板１５で制御して撮影する。
【０２０１】
パノラマ撮影において、Ｘ線細隙ビームＢＸＰは、図６（ｃ）に示されるビーム成形機構１３が成すパノラマ撮影用開口１７ｃによって形成される。  
図２５に示すように、Ｘ線発生部１０、横方向遮蔽板１５、Ｘ線検出部２０（Ｘ線検出器２１）は、図示省略した旋回アーム３０と共に初期位置である旋回開始位置ＬＣ１から１８０度旋回して旋回終了位置まで旋回してパノラマ撮影を行う。
【０２０２】
図示の例では初期位置ＬＣ１は歯列弓領域Ｘの右真横にＸ線発生部１０が位置し、Ｘ線発生部１０が頭部の背後側を旋回していくように構成している。  
旋回中心Ｓｃは正中線上、左右の最も奥の奥歯の間付近に設定している。
【０２０３】
なお、図２５には、旋回アーム３０の旋回角度３０度ごとにＬＣ２、ＬＣ３と旋回が進み、９０度旋回したＬＣ４までを図示し、旋回角度９０度から１８０度までは左右対象であるため、図示省略している。
【０２０４】
パノラマ撮影中、歯列弓領域Ｘに対してＸ線細隙ビームＢＸＰの照射が継続的に行われる。  
旋回位置ＬＣ１では、Ｘ線発生部１０のＸ線管焦点とＸ線検出器２１の検出面の中央とを結ぶ水平方向基準中央線ＳＣＬに対し、Ｘ線細隙ビームＢＸＰの照射方向が−ｘ方向に偏心するようにパノラマ撮影用開口１７ｃの位置を水平方向基準中央線ＳＣＬに対して−ｘ方向に偏心させるよう横方向遮蔽板１５が位置制御される。
【０２０５】
旋回位置ＬＣ２では、Ｘ線発生部１０のＸ線管焦点とＸ線検出器２１の検出面の中央とを結ぶ水平方向基準中央線ＳＣＬに対し、Ｘ線細隙ビームＢＸＰの照射方向が＋ｘ方向に僅かに偏心していくようにパノラマ撮影用開口１７ｃの位置を水平方向基準中央線ＳＣＬに対して僅かに＋ｘ方向に偏心させるよう横方向遮蔽板１５が位置制御される。
【０２０６】
旋回位置ＬＣ３では、Ｘ線発生部１０のＸ線管焦点とＸ線検出器２１の検出面の中央とを結ぶ水平方向基準中央線ＳＣＬに対し、Ｘ線細隙ビームＢＸＰの照射方向が旋回位置ＬＣにおけるよりもさらに＋ｘ方向に僅かに偏心していくようにパノラマ撮影用開口１７ｃの位置を水平方向基準中央線ＳＣＬに対してさらに＋ｘ方向に偏心させる横方向遮蔽板１５の変位制御がなされる。
【０２０７】
旋回位置ＬＣ３から旋回位置ＬＣ４に到るまで、Ｘ線発生部１０のＸ線管焦点とＸ線検出器２１の検出面の中央とを結ぶ水平方向基準中央線ＳＣＬに対し、Ｘ線細隙ビームＢＸＰの照射方向が−ｘ方向に戻されていき、位置ＬＣ４においてＸ線細隙ビームＢＸＰの照射方向が水平方向基準中央線ＳＣＬに一致するようにパノラマ撮影用開口１７ｃの位置を水平方向基準中央線ＳＣＬに対して−ｘ方向に戻していき、位置ＬＣ４においてパノラマ撮影用開口１７ｃを水平方向基準中央線ＳＣＬに対して全く偏心しない位置に移動させる横方向遮蔽板１５の変位制御がなされる。  
上記の制御により、Ｘ線細隙ビームＢＸＰの軌跡が包絡線ＥＭを形成することができる。
【０２０８】
また、図２６に示すように、従来の径８０ｍｍの径小な真円状のＣＴ撮影領域ＣＡｏに比べて顎骨の一部や智歯を含む、例えば、径１００ｍｍの径の大きな真円状ＣＴ撮影領域ＣＡｄを設定してもよい。
【０２０９】
しかしながら、本願構成のＸ線ＣＴ撮影中のビーム成形機構１３の制御による略三角形状の略三角形状ＣＴ撮影領域ＣＡｃのＸ線ＣＴ撮影によれば、径１００ｍｍの真円状ＣＴ撮影領域ＣＡｄのＸ線ＣＴ撮影に比べて、図示のハッチング領域の分だけＸ線被曝量を低減することができる。そのため、関心領域が略三角形状ＣＴ撮影領域ＣＡｃに含まれる場合は、径１００ｍｍの真円状ＣＴ撮影領域ＣＡｄよりＸ線被曝量を低減できるため好ましい。
【０２１０】
また、従来の径８０ｍｍの径小な真円状のＣＴ撮影領域ＣＡｏに歯列弓の全歯牙を収めれば、智歯や顎骨を、従来の径８０ｍｍの径小な真円状のＣＴ撮影領域ＣＡｏに収めることができなかったが、Ｘ線ＣＴ撮影中のビーム成形機構１３の制御による略三角形状ＣＴ撮影領域ＣＡｃのＸ線ＣＴ撮影によれば、歯列弓の全歯牙をＸ線ＣＴ撮影領域内に収めた上で、智歯や顎骨も略三角形状ＣＴ撮影領域ＣＡｃ内に収めることができる。さらに、従来の径８０ｍｍの径小な真円状のＣＴ撮影領域ＣＡｏのＸ線ＣＴ撮影に用いたのと同じサイズのＸ線検出面を有するＸ線検出器２１により、歯列弓の全歯牙、智歯、顎骨をＸ線ＣＴ撮影領域内に収めた略三角形状ＣＴ撮影領域ＣＡｃのＸ線ＣＴ撮影ができるので、装置コストを低く抑えることができる。
【０２１１】
さらには、上述のＸ線ＣＴ撮影装置１で、図２２に示すように、パノラマ撮影してもよい。  
具体的には、ビーム成形機構１３による規制範囲を変更して形成したパノラマ撮影用のＸ線細隙ビームＢＸＰを照射しながら、ビーム成形機構１３で照射方向を調整したＸ線細隙ビームＢＸＰによって包絡線ＥＭとなるパノラマＸ線撮影用軌跡を形成するように旋回アーム３０を旋回するとともに、旋回用モータ３７を有する上部フレーム４１を制御することにより、パノラマ画像が必要な場合にも別のＸ線撮影装置を準備することなく、無駄なＸ線被曝量を低減することができるＸ線ＣＴ撮影装置１によりＸ線細隙ビームＢＸＰでパノラマＸ線撮影もできる。
【０２１２】
なお、照射するＸ線細隙ビームＢＸＰによって包絡線ＥＭとなるパノラマＸ線撮影用軌跡を形成するためには、旋回軸３１を移動するための旋回アーム３０及び上部フレーム４１の内部構造についての説明図である図２３、旋回軸３１を移動させてＸ線コーンビームの広がりを規制するＸ線撮影装置の構成を示すブロック図である図２４に示すように、軸移動機構３４を上部フレーム４１に装着してもよい。
【０２１３】
図２３（ａ）は、上部フレーム４１をその内部構造とともに示す部分断面図であり、図２３（ｂ）は、旋回アーム３０及び上部フレーム４１をその内部構造とともに示す部分断面図である。なお、図２３（ｂ）は、Ｘ線ＣＴ撮影装置１を側方から見たときの旋回アーム３０、及び上部フレーム４１を示し、図２３（ａ）は、上方から見たときの上部フレーム４１を示している。
【０２１４】
上部フレーム４１に装着される軸移動機構３４は、旋回アーム３０ごと旋回軸３１を水平方向に移動するＸＹテーブル３５と、ＸＹテーブル３５を駆動する駆動用モータ３６とで構成している。
【０２１５】
ＸＹテーブル３５は、旋回アーム３０を前後方向（Ｙ軸方向）に移動するＹテーブル３５Ｙ、及び、Ｙテーブル３５Ｙに支持されて横方向（Ｘ軸方向）に移動するＸテーブル３５Ｘで構成している。
【０２１６】
駆動用モータ３６は、Ｙテーブル３５Ｙを駆動するＹ軸駆動用モータ３６Ｙと、Ｙテーブル３５Ｙに対してＸテーブル３５ＸをＸ方向に移動させるＸ軸駆動用モータ３６Ｘとで構成している。
【０２１７】
Ｘ線ＣＴ撮影装置１では、図２３に示すように、駆動用モータ３６は本体制御部６０に接続されており、予め決められたプログラムに従って駆動することによって、旋回アーム３０を旋回させながら、Ｘテーブル３５Ｘを左右（Ｘ方向）に、Ｙテーブル３５Ｙを前後（Ｙ方向）に移動する。これにより、旋回軸３１を前後左右のＸ−Ｙ方向に２次元的に移動制御することができる。
【０２１８】
なお、軸移動機構３４は被写体固定部４２１に対して、水平方向における二次元方向に旋回軸３１を相対移動させる二次元移動機構として機能するともに、旋回用モータ３７とともに旋回アーム３０を駆動する支持体駆動部を構成する。
【０２１９】
このように、上部フレーム４１に軸移動機構３４を装着することにより、関心領域である右側歯列撮影対象物ＯＢ１の大きさ、範囲及び歯列弓領域Ｘにおける位置に対して、ＣＴ撮影領域ＣＡを歯列弓領域Ｘの曲線に沿った部分を有する長円状、楕円状、略三角形状あるいはオーバル形状等の様々な形状に設定することで無駄なＸ線被爆量を低減しながら、確実に関心領域である右側歯列撮影対象物ＯＢ１を確実に撮影できるＸ線ＣＴ撮影装置１で、ビーム成形機構１３による規制範囲を変更して形成したパノラマ撮影用のＸ線細隙ビームＢＸＰによって包絡線ＥＭとなるパノラマＸ線撮影用軌跡を形成するように旋回アーム３０を旋回させてＸ線細隙ビームＢＸＰでパノラマＸ線撮影もできる。
【０２２０】
なお、上述の説明では、上部フレーム４１に軸移動機構３４を装着して旋回軸３１を平面方向において移動可能に構成し、パノラマ撮影可能に構成したが、上部フレーム４１に対して旋回軸３１を固定したままであっても、下部フレーム４２に配置した被写体固定部４２１を、上部フレーム４１に対して平面方向において相対移動可能に構成して、パノラマ撮影可能に構成してもよく、さらには、上部フレーム４１に軸移動機構３４を備えるとともに、被写体固定部４２１を相対移動可能に構成してもよい。
【０２２１】
上述したように、Ｘ線ＣＴ撮影装置１に、Ｘ線を発生するＸ線発生部１０と、Ｘ線発生部１０から発生したＸ線の照射範囲を規制してＸ線コーンビームＢＸを形成するビーム成形機構１３と、被写体に照射されたＸ線コーンビームＢＸをされたＸ線コーンビームＢＸを検出するＸ線検出部２０と、Ｘ線発生部１０とＸ線検出部２０と被写体を挟んで対向させて被写体を挟んで対向させた状態で支持する旋回アーム３０と、少なくとも旋回アーム３０を旋回軸３１の軸周りに旋回駆動し、Ｘ線発生部１０とＸ線検出部２０とを被写体の周りに旋回させる旋回用モータ３７と、歯列弓領域Ｘの画像である歯列弓画像２１１を表示する操作表示部６１と、歯列弓領域Ｘに対して長円状ＣＴ撮影領域ＣＡａの設定操作を受け付けるＣＴ撮影領域設定画面２００と、ＣＴ撮影領域設定画面２００で操作入力された設定長円状ＣＴ撮影領域ＣＡａに応じ、長円状ＣＴ撮影領域ＣＡａが、歯列弓領域Ｘに沿った長手方向を有する略長円形状または列弓領域の形状に適合す歯列弓領域Ｘの形状に適合する略三角形状となるように、ビーム成形機構１３を制御する本体制御部６０とを備えたことにより、関心領域に対して適切にＸ線コーンビームＢＸを照射し、無駄なＸ線被曝量を低減するとともに、確実に関心領域をＸ線ＣＴ撮影することができる。
【０２２２】
詳しくは、歯列弓領域Ｘの画像である歯列弓画像２１１を表示する操作表示部６１と、歯列弓領域Ｘに対して長円状ＣＴ撮影領域ＣＡａの設定操作を受け付けるＣＴ撮影領域設定画面２００と、ＣＴ撮影領域設定画面２００で操作入力された設定長円状ＣＴ撮影領域ＣＡａに応じて、長円状ＣＴ撮影領域ＣＡａが、歯列弓領域Ｘに沿った長手方向を有する略長円形状または歯列弓領域Ｘの形状に適合する略三角形状となるように、ビーム成形機構１３を制御する本体制御部６０とを備えているため、操作表示部６１に表示された歯列弓画像２１１を確認しながら、歯列弓領域Ｘに対する長円状ＣＴ撮影領域ＣＡａの設定操作を行い、ＣＴ撮影領域設定画面２００で操作入力された設定長円状ＣＴ撮影領域ＣＡａに応じて、本体制御部６０が、長円状ＣＴ撮影領域ＣＡａが、歯列弓領域Ｘに沿った長手方向を有する略長円形状または歯列弓領域Ｘの形状に適合する略三角形状となるように、ビーム成形機構１３を制御する。したがって、関心領域に対して適切にＸ線コーンビームＢＸを照射し、確実に関心領域をＸ線ＣＴ撮影することができる。また、関心領域に対して適切にＸ線コーンビームＢＸを照射するため、無駄なＸ線被曝量を低減することができる。
【０２２３】
歯列弓領域Ｘの画像である歯列弓画像２１１を表示する操作表示部６１を操作入力可能なタッチパネルで構成しているため、歯列弓画像２１１として表示された歯列弓領域Ｘに対して直接、長円状ＣＴ撮影領域ＣＡａの設定操作ができ、より容易、且つ適切に長円状ＣＴ撮影領域ＣＡａを設定することができる。
【０２２４】
また、操作表示部６１に表示する歯列弓画像２１１に、設定長円状ＣＴ撮影領域ＣＡａを示すＣＴ撮影領域ライン２１３を重畳表示するため、歯列弓領域Ｘに対して、より適切に長円状ＣＴ撮影領域ＣＡａを設定することができる。  
詳しくは、操作表示部６１に表示する歯列弓画像２１１に、設定長円状ＣＴ撮影領域ＣＡａを示すＣＴ撮影領域ライン２１３が重畳表示されるため、関心領域に対して設定長円状ＣＴ撮影領域ＣＡａを適切な形状、大きさ及び位置で設定していることを目視で確認できる。したがって、歯列弓領域Ｘに対して、より適切に長円状ＣＴ撮影領域ＣＡａを設定することができる。
【０２２５】
また、図１４に示すように、ＣＴ撮影領域設定画面２００Ａにおいて、操作表示部６１に表示した歯列弓画像２１１に示す湾曲した歯列弓領域Ｘの曲線上において、関心領域の一端と他端の位置を指定カーソル２１２で指定する指定操作を受け付ける構成であるため、より簡単な操作で、関心領域に対して長円状ＣＴ撮影領域ＣＡａを適切に設定することができる。
【０２２６】
また、指定する２本の歯の組み合わせによる長円状ＣＴ撮影領域ＣＡａを予め設定しているため、設定された長円状ＣＴ撮影領域ＣＡａのうち、関心領域の一端と他端の位置を指定する指定操作に対応する長円状ＣＴ撮影領域ＣＡａを設定長円状ＣＴ撮影領域ＣＡａとして設定することができる。したがって、より簡単な操作で、関心領域に対して長円状ＣＴ撮影領域ＣＡａを適切に設定することができる。
【０２２７】
また、図１５に示すように、ＣＴ撮影領域設定画面２００Ｂにおいて、操作表示部６１に表示する歯列弓画像２１１を複数の分割エリア２１４に分けて表示し、ＣＴ撮影領域設定画面２００Ｂにおいて、分割エリア２１４のいずれかを選択する指定操作を受け付ける構成であるため、より簡単な操作で、関心領域に対して長円状ＣＴ撮影領域ＣＡａを適切に設定することができる。
【０２２８】
詳しくは、歯列を複数のグループに分けて分割エリア２１４を設定し、操作表示部６１に表示する歯列弓画像２１１を複数の分割エリア２１４に分けて表示するため、ＣＴ撮影領域設定画面２００として、表示された分割エリア２１４のいずれかを選択する指定操作を受け付け、より簡単な操作で、関心領域に対して長円状ＣＴ撮影領域ＣＡａを適切に設定することができる。
【０２２９】
また、ＣＴ撮影領域設定画面２００Ｄにおいて、画像表示部２１０Ｄに、被写体についてのパノラマ画像２１１Ｄを表示するため、例えば、歯の欠損等の被写体である患者特有の状態を確認しながら、関心領域に対して長円状ＣＴ撮影領域ＣＡａを設定することができる。したがって、関心領域に対してさらに適切にＸ線コーンビームＢＸを照射し、無駄なＸ線被曝量をより低減することができる。
【０２３０】
また、旋回軸３１の軸方向を縦方向とし、縦方向に直交する方向を横方向とし、長円状ＣＴ撮影領域ＣＡａに対してＸ線コーンビームＢＸの照射範囲を縦方向と横方向の少なくともいずれかに遮蔽量を可変に遮蔽して規制する縦方向遮蔽板１４及び横方向遮蔽板１５を備えたため、長円状ＣＴ撮影領域ＣＡａを、より確実に形成することができる。したがって、無駄なＸ線被曝量を確実に低減することができる。
【０２３１】
また、それぞれ横方向に移動して、Ｘ線コーンビームＢＸの横方向の広がりを規制する２枚のＸ線遮蔽板からなる横方向遮蔽板１５を備えたことにより、Ｘ線コーンビームＢＸの横方向における照射方向を制御しながら、長円状ＣＴ撮影領域ＣＡａを、より確実に形成することができる。したがって、無駄なＸ線被曝量を低減するとともに、確実に関心領域をＸ線ＣＴ撮影することができる。
【０２３２】
また、それぞれ縦方向に移動して、Ｘ線コーンビームＢＸの縦方向の広がりを規制する２枚のＸ線遮蔽板からなる縦方向遮蔽板１４を備えたことにより、Ｘ線コーンビームＢＸの縦方向における照射方向を制御しながら、長円状ＣＴ撮影領域ＣＡａを、より確実に形成することができる。したがって、無駄なＸ線被曝量を低減するとともに、確実に関心領域をＸ線ＣＴ撮影することができる。
【０２３３】
また、Ｘ線発生部１０に対する縦方向遮蔽板１４の縦方向の位置を調整して、Ｘ線コーンビームＢＸの縦方向における照射方向を本体制御部６０で制御したため、例えば、関心領域を上顎のみ、あるいは下顎のみといった、Ｘ線発生部１０から照射するＸ線に対して縦方向に偏心した局所的な関心領域をＣＴ撮影領域ＣＡとして設定した場合であっても、より確実にＣＴ撮影領域ＣＡを形成することができる。したがって、無駄なＸ線被曝量を低減するとともに、確実に関心領域をＸ線ＣＴ撮影することができる。
【０２３４】
また、旋回軸３１を吊下げ保持する上部フレーム４１と、上部フレーム４１に対して、水平方向における二次元方向に旋回軸３１を相対移動させる二次元移動機構からなる旋回用モータ３７とを備えたため、仮に、歯列弓領域Ｘの中心から偏心した位置にある設定長円状ＣＴ撮影領域ＣＡａであっても、Ｘ線コーンビームＢＸの広がりを設定長円状ＣＴ撮影領域ＣＡａに対してより適切に調整することができる。
【０２３５】
また、縦方向遮蔽板１４及び横方向遮蔽板１５の規制により形成した鉛直方向に延伸する細隙状のＸ線細隙ビームＢＸＰの軌跡が、パノラマＸ線撮影における包絡線ＥＭを形成するように旋回用モータ３７を駆動制御するため、パノラマ画像が必要な場合にも別のＸ線撮影装置を準備することなく、無駄なＸ線被曝量を低減することができるＸ線ＣＴ撮影装置１によりＸ線細隙ビームＢＸＰでパノラマＸ線撮影もできる。したがって、無駄なＸ線被曝量を低減することができるＸ線ＣＴ撮影装置１の汎用性を向上することができる。
【０２３６】
また本体制御部６０を、旋回軸３１の軸方向から見たＣＴ撮影領域ＣＡが、長手方向が歯列弓領域Ｘの長手方向に沿った略オーバル形状となるようにビーム成形機構１３を制御する構成、あるいは、旋回軸３１の軸方向から見たＣＴ撮影領域ＣＡが、前歯Ｔ１近傍に頂部が位置し、歯列弓領域Ｘの外周を結ぶ略半円形状または略三角形状となるようにビーム成形機構１３を制御する構成とすることにより、ビーム成形機構１３を制御することで、設定長円状ＣＴ撮影領域ＣＡａの形状に応じて、長手方向が歯列弓領域Ｘの長手方向に沿った略オーバル形状、あるいは前歯Ｔ１近傍に頂部が位置し、歯列弓領域Ｘの外周を結ぶ略半円形状または略三角形状に絞り込むことによって、無駄なＸ線被曝量を低減できるとともに、Ｘ線検出部２０の検出範囲を小さくすることができる。
【０２３７】
また、本体制御部６０を、旋回軸３１の軸方向から見たＣＴ撮影領域ＣＡが、略長円形状及び略三角形状に加えて、真円形状となるようにビーム成形機構１３を制御することにより、部位や症例応じて適切な真円状ＣＴ撮影領域ＣＡｄを設定し、無駄なＸ線被曝量を低減することができる。
【０２３８】
詳しくは、例えば埋もれた智歯の領域で智歯が横倒しに近い状態になっていないかなどを観察する場合や、腫瘍の広がりの状況を診たい場合、あるいは歯列弓領域Ｘの長手部分のみならず、その舌側・頬側に広がる領域の観察も要する診断等の様々な症例や部位に応じて、ＣＴ撮影領域ＣＡを、略長円形状や略三角形状と、真円形状とを選択可能に構成することによって、関心領域以外の箇所に照射される無駄なＸ線被曝量を低減することができる。したがって、無駄なＸ線被曝量を低減することができるＸ線ＣＴ撮影装置１の汎用性を向上することができる。
【０２３９】
また、ＣＴ撮影領域ＣＡのＸ線ＣＴ撮影は、ノーマルスキャンＣＴによってもよいが、オフセットスキャンＣＴによってもよい。ノーマルスキャンＣＴにおいては、Ｘ線ＣＴ撮影中に得られる全ての投影データが、Ｘ線コーンビームＢＸをＣＴ撮影領域ＣＡの全域に照射して得られる、ＣＴ撮影領域ＣＡ全域の透過画像データである。
【０２４０】
これに対し、オフセットスキャンＣＴにおいては、ノーマルスキャンＣＴに対し、ＣＴ撮影領域ＣＡに照射するＸ線コーンビームＢＸの照射範囲をｘ方向について限定し、Ｘ線コーンビームＢＸがＣＴ撮影領域ＣＡの一部の領域にのみ照射される位置関係を実現する。Ｘ線ＣＴ撮影中に得られる全ての投影データは、Ｘ線コーンビームＢＸをＣＴ撮影領域ＣＡの一部の領域のみに照射して得られる、ＣＴ撮影領域ＣＡの一部領域の透過画像データである。
【０２４１】
ただし、ＣＴ画像の再構成にはＣＴ撮影領域ＣＡの全ての地点について１８０度分の異なる投影角度の投影データが要るので、オフセットスキャンＣＴによる場合、旋回アーム３０を３６０度以上旋回させてＣＴ撮影領域ＣＡの全ての地点について１８０度分の異なる投影角度の投影データを得るようにする。
【０２４２】
オフセットスキャンＣＴの例としては、例えば特許登録４５１６６２６号公報の図３Ａ〜図４Ｄ、特開２００８−１１４０５６号公報の図１６〜図２０、国際公開２００９／０６３９７４公報の図２Ａ〜図１２などに示されている。
【０２４３】
オフセットスキャンＣＴによれば、ＣＴ撮影領域ＣＡの一部の領域のみを透過したＸ線コーンビームＢＸが検出できるＸ線検出面さえ有していればよいので、Ｘ線検出面の小さなＸ線検出器２１で広い範囲のＣＴ撮影領域ＣＡのＸ線ＣＴ撮影ができる利点がある。
【０２４４】
この発明の構成と、上述の実施形態との対応において、
この発明のＸ線規制部は、ビーム成形機構１３に対応し、
以下同様に、
Ｘ線検出器は、Ｘ線検出部２０におけるＸ線検出器２１に対応し、
支持体は、旋回アーム３０に対応し、
支持体駆動部は、旋回用モータ３７、および軸移動機構３４に対応し、
表示手段は、操作表示部６１に対応し、
ＣＴ撮影領域は、ＣＴ撮影領域ＣＡ、長円状ＣＴ撮影領域ＣＡａ、楕円状ＣＴ撮影領域ＣＡｂ、略三角形状ＣＴ撮影領域ＣＡｃ、真円状ＣＴ撮影領域ＣＡｄに対応し、
ＣＴ撮影領域設定手段は、ＣＴ撮影領域設定画面２００，局所的真円状ＣＴ撮影領域設定画面３００に対応し、
Ｘ線規制制御部及び駆動制御部は、本体制御部６０に対応し、
設定領域画像は、ＣＴ撮影領域ライン２１３に対応し、
撮影済みのパノラマ画像は、パノラマ画像２１１Ｄに対応し、
Ｘ線遮蔽手段は、縦方向遮蔽板１４、横方向遮蔽板１５及びＬ型遮蔽板１８の一部に対応し、
横方向規制遮蔽板は、横方向遮蔽板１５、左側横方向遮蔽板１５ａ、右側横方向遮蔽板１５ｂに対応し、
縦方向規制遮蔽板は、縦方向遮蔽板１４、上側縦方向遮蔽板１４ａ、下側縦方向遮蔽板１４ｂに対応し、
支持体保持手段は、上部フレーム４１に対応し、
被写体保持手段は、被写体固定部４２１に対応するが、この発明は、上述の実施形態の構成のみに限定されるものではなく、多くの実施の形態を得ることができる。
【０２４５】
例えば、上述の説明においては、前歯Ｔ１、左側臼歯Ｔ２及び右側臼歯Ｔ３で構成する歯列弓領域Ｘ全体を撮影対象物としてＸ線ＣＴ撮影装置１でＸ線ＣＴ撮影する態様について説明したが、検出面をＸ線検出部本体に対して移動可能に構成してもよい。これにより、高価なセンサで構成する検出面を小さく形成することができる。
【０２４６】
また、ＣＴ撮影領域設定画面等において、画像表示部２１０に表示されたＣＴ撮影領域ライン２１３を、マウス等の操作手段でホールドし、ＣＴ撮影領域ライン２１３の大きさや形を変更し、ＣＴ撮影領域ＣＡを設定する構成であってもよい。
【０２４７】
また、上述の説明においては、歯科領域である歯列弓領域Ｘを撮影対象物ＯＢとして、Ｘ線ＣＴ撮影したが、顎関節のみを撮影対象物ＯＢとしてＸ線ＣＴ撮影してもよい。さらには、歯科領域のみならず、手足や頭頸部等の局所をＸ線ＣＴ撮影してもよい。
【符号の説明】
【０２４８】
１…Ｘ線ＣＴ撮影装置
１０…Ｘ線発生部
１３…ビーム成形機構
１４…縦方向遮蔽板
１４ａ…上側縦方向遮蔽板
１４ｂ…下側縦方向遮蔽板
１５…横方向遮蔽板
１５ａ…左側横方向遮蔽板
１５ｂ…右側横方向遮蔽板
１８…Ｌ型遮蔽板
２０…Ｘ線検出部
２１…Ｘ線検出器
３０…旋回アーム
３１…旋回軸
３４…軸移動機構
３７…駆動部旋回用モータ
４１…上部フレーム
６１…操作表示部
２００…ＣＴ撮影領域設定画面
２１１…歯列弓画像
２１１Ｄ…パノラマ画像
２１３…ＣＴ撮影領域ライン
２１４…分割エリア
３００…局所的真円状ＣＴ撮影領域設定画面
４２１…被写体固定部
ＢＸ…Ｘ線コーンビーム
ＢＸ１…大照射野ＣＴ用Ｘ線コーンビーム
ＢＸ２…小照射野ＣＴ用Ｘ線コーンビーム
ＢＸＰ…Ｘ線細隙ビーム
ＣＡ…ＣＴ撮影領域
ＣＡａ…長円状ＣＴ撮影領域
ＣＡｂ…楕円状ＣＴ撮影領域
ＣＡｃ…略三角形状ＣＴ撮影領域
ＣＡｄ…真円状ＣＴ撮影領域
Ｍ１…被写体
Ｔ１…前歯
Ｘ…歯列弓領域
【図１】
0005863454.tif 000002
【図２】
0005863454.tif 000003
【図３】
0005863454.tif 000004
【図４】
0005863454.tif 000005
【図５】
0005863454.tif 000006
【図６】
0005863454.tif 000007
【図７】
0005863454.tif 000008
【図８】
0005863454.tif 000009
【図９】
0005863454.tif 000010
【図１０】
0005863454.tif 000011
【図１１】
0005863454.tif 000012
【図１２】
0005863454.tif 000013
【図１３】
0005863454.tif 000014
【図１４】
0005863454.tif 000015
【図１５】
0005863454.tif 000016
【図１６】
0005863454.tif 000017
【図１７】
0005863454.tif 000018
【図１８】
0005863454.tif 000019
【図１９】
0005863454.tif 000020
【図２０】
0005863454.tif 000021
【図２１】
0005863454.tif 000022
【図２２】
0005863454.tif 000023
【図２３】
0005863454.tif 000024
【図２４】
0005863454.tif 000025
【図２５】
0005863454.tif 000026
【図２６】
0005863454.tif 000027
【図２７】
0005863454.tif 000028